(57)【特許請求の範囲】
【請求項１】
それぞれユニット蓄電池を備える複数のユニットと、
前記各ユニット蓄電池により共有される第１共有蓄電池と、
前記各ユニット蓄電池と前記第１共有蓄電池が接続され前記各ユニット蓄電池と前記第１共有蓄電池との間でＤＣ電力を充放電する第１共有電力ラインと、
前記ユニット蓄電池を有する前記各ユニットと前記第１共有電力ラインとの間でやり取りされるＤＣ電力の電力量に基づいて前記各ユニットに対する課金情報を取得する電力監視部と、
前記第１共有蓄電池および同様の構成の他の第１共有蓄電池により共有される第２共有蓄電池と、
前記各第１共有蓄電池と前記第２共有蓄電池が接続され前記各第１共有蓄電池と前記第２共有蓄電池との間でＤＣ電力を充放電する第２共有電力ラインと、
を有することを特徴とする電力システム。
【請求項２】
前記第２共有電力ラインから前記第１共有蓄電池への充電経路を制御する第１スイッチを有することを特徴とする請求項１に記載の電力システム。
【請求項３】
前記第１共有電力ラインから前記第１共有蓄電池への充電経路を制御する第２スイッチを有することを特徴とする請求項２に記載の電力システム。
【請求項４】
前記第１スイッチ及び前記第２スイッチを制御するグループ制御部を有することを特徴とする請求項３に記載の電力システム。
【請求項５】
前記第１共有蓄電池から前記第２共有電力ラインへの放電経路を制御する第３スイッチを有することを特徴とする請求項１に記載の電力システム。
【請求項６】
前記第１共有蓄電池から前記第１共有電力ラインへの放電経路を制御する第４スイッチを有することを特徴とする請求項５に記載の電力システム。
【請求項７】
前記第３スイッチ及び前記第４スイッチを制御する放電制御部を有することを特徴とする請求項６に記載の電力システム。
【発明の詳細な説明】
【技術分野】
【０００１】
本発明は、電力システムに関する。
【背景技術】
【０００２】
電力供給に関しては、環境負荷低減の観点から種々の提案が行われている。例えば特許文献１には、太陽電池、蓄電池および自立運転機能つき系統連系インバータで構成され、系統電源が正常な場合は系統連系太陽光発電として運転されるとともに、災害時には太陽電池および蓄電池を電源としてインバータを自立運転モードで運転して特定負荷に電力を供給する太陽光発電システムにおいて、インバータに双方向機能を持たせるとともに、蓄電池の補充電を系統電源が正常な場合に上記インバータをコンバータモードで運転して系統側の電力で行うようにした太陽光発電システムが提案されている。そして、蓄電池の補充電は系統連系太陽光発電運転が停止後に行われること、さらには、蓄電池の補充電は深夜電力料金適用の時間帯で行われることも提案されている。また、特許文献２には、太陽光発電による売電システムが提案されている。
【先行技術文献】
【特許文献】
【０００３】
【特許文献１】特開平１１−１２７５４６公報
【特許文献２】特開２００８−２０２９８３公報
【発明の概要】
【発明が解決しようとする課題】
【０００４】
しかしながら、電力システムに関しては電力の課金についてまだ種々検討すべき課題が多い。
【０００５】
本発明は、上記の課題に鑑み、適切に電力の課金を行うことが可能な電力システムを提供することを目的とする。
【課題を解決するための手段】
【０００６】
上記の課題を解決するために、本発明に係る電力システムは、ユニット蓄電池と、第１共有蓄電池と、前記ユニット蓄電池と前記第１共有蓄電池が接続されるＤＣ電力を充放電するための第１共有電力ラインと、前記ユニット蓄電池を有するユニットと前記第１共有電力ラインとの間でやり取りされるＤＣ電力の電力量に基づいて前記ユニットに対する課金情報を取得する電力監視部と、を有する構成（第１の構成）とされている。
【０００７】
なお、上記第１の構成から成る電力システムにおいて、前記第１共有蓄電池は、第２共有電力ラインに接続することで、第２共有蓄電池との間でＤＣ電力の充放電を行う構成（第２の構成）にするとよい。
【０００８】
また、上記第２の構成から成る電力システムは、前記第２共有電力ラインから前記第１共有蓄電池への充電経路を制御する第１スイッチを有する構成（第３の構成）にするとよい。
【０００９】
また、上記第３の構成から成る電力システムは、前記第１共有電力ラインから前記第１共有蓄電池への充電経路を制御する第２スイッチを有する構成（第４の構成）にするとよい。
【００１０】
また、上記第４の構成から成る電力システムは、前記第１スイッチ及び前記第２スイッチを制御する制御部を有する構成（第５の構成）にするとよい。
【００１１】
また、上記第２の構成から成る電力システムは、前記第１共有蓄電池から前記第２共有電力ラインへの放電経路を制御する第３スイッチを有する構成（第６の構成）にするとよい。
【００１２】
また、上記第６の構成から成る電力システムは、前記第１共有蓄電池から前記第１共有電力ラインへの放電経路を制御する第４スイッチを有する構成（第７の構成）にするとよい。
【００１３】
また、上記第７の構成から成る電力システムは、前記第３スイッチ及び前記第４スイッチを制御する制御部を有する構成（第８の構成）にするとよい。
【発明の効果】
【００１４】
上記のように本発明によれば、適切に電力の課金を行うことが可能な電力システムを提供することができる。
【図面の簡単な説明】
【００１５】
【図１】本発明の実施の形態に係る電力供給システムのブロック図である。（第１実施例）
【図２】図１の制御部による各スイッチの制御状態をまとめた表である。
【図３】図１の蓄電池に充電される電力の構成図である。
【図４】複数の家庭間の電力融通に関する蓄電池の充電電力構成図である。
【図５】図１の制御部のスイッチ制御機能を示す基本フローチャートである。
【図６】図５のステップＳ１４の詳細を示すフローチャートである。
【図７】図５のステップＳ２の詳細を示すフローチャートである。
【図８】図７のステップＳ７２の詳細を示すフローチャートである。
【図９】一般的な集合住宅の電力供給システムを示す模式図である。
【図１０】ＤＣ電力ネットワーク網の一実施形態を示す模式図である。（第２実施例）
【図１１】ユニットの一構成例を示す模式図である。
【図１２】ユニット制御部の動作一覧表である。
【図１３】ユニット制御部の動作フローチャートである。
【図１４】グループの一構成例を示す模式図である。
【図１５】グループ制御部の上位グループに対する動作一覧表である。
【図１６】グループ制御部の上位グループに対する動作フローチャートである。
【図１７】グループ制御部の下位グループに対する動作一覧表である。
【図１８】グループ制御部の下位グループに対する動作フローチャートである。
【図１９】共有電力ラインの充放電制御を説明するための模式図である。
【図２０】ルートの一構成例を示す模式図である。
【図２１】ルート制御部の動作一覧表である。
【図２２】ルート制御部の動作フローチャートである。
【図２３】ＤＣ電力ネットワーク網の概念図である。
【図２４】ＤＣ電力ネットワーク網とＡＣ電力ネットワーク網との相互接続図である。
【図２５】ユニットの一変形例を示す模式図である。
【発明を実施するための形態】
【００１６】
（第１実施例）
図１は、本発明の実施の形態に係る電力供給システムのブロック図である。第１実施例は、マンション２等の集合住宅として構成されており、図１では入居家庭の代表として簡単のため第１家庭４および第２家庭６を図示しているが、実際には同様の多数の家庭が入居している。マンション２の屋上には、太陽光発電パネル８が設置されており、これが第１家庭用パネル１０、第２家庭用パネル１２等に分譲されている。また、マンション２には単相３線の商用電源１４から交流電力線が入居している各家庭に引き込まれている。
【００１７】
次に、第１家庭４を例にとって第１実施例の電力供給システムの詳細構成を説明する。太陽電池パネル８における第１家庭用パネル１０は、第１家庭専用の接続箱１６を介して第１家庭用のパワーコンディショナー１８に接続されている。パワーコンディショナー１８は接続箱１６からの直流電力を最も効率の良い電圧に変換するＤＣ／ＤＣコンパータ２０及びこれを商用交流電源レベルでその最高電圧よりも若干高めに設定された交流電力に変換するためのＤＣ／ＡＣコンバータ２２を有する。ＤＣ／ＡＣコンバータ２２から出力される太陽光発電交流電力は売電メータ２４に接続され、売電メータ２４および時間帯別買電メータ２６を介して単相３線商用電源１４側に売電される。この売電対価は買電の際の通常電力料金の倍額となっている。なお、単相３線商用電源１４は、太陽光発電パネル８による発電ができないときの買電や深夜電力料金による買電のため、時間帯別買電メータ２６及び売電メータ２４を介して通常通り第１家庭４に給電を行うことが可能である。
【００１８】
制御部２８は、システム内に設けられた種々のスイッチを制御する。そして制御に必要なパワーコンディショナー１８の発電状態の情報および時間帯別買電メータ２６の状態の情報がそれぞれ図１にＰおよびＱで示した接続を通じて入力されている。制御部２８は、まず、パワーコンディショナー１８のＤＣ／ＤＣコンバータ２０から降圧部３０を介して蓄電池３２に接続される充電路に設けられたＡスイッチ３４を制御している。そして、昼間において蓄電池３２の充電量が欠乏している際にＡスイッチ３４を閉じることによって太陽光発電パネル８による発電電力にて補助的に充電を行う。蓄電池３２は、基本的には単相３線商用電源１４から深夜電力料金にて交流電力を買電して充電しておき、これを深夜電力料金時間帯以外において第１家庭４で利用するために設けられているものである。この目的のため、制御部２８は売電メータ２４に接続されたＢスイッチ３６を深夜電力料金時間帯に閉じるよう制御し、ＡＣ／ＤＣコンパータおよび降圧部３８を介して蓄電池３２を充電する。なお、深夜電力料金は、通常料金の１／３に設定されている。
【００１９】
蓄電池３２に蓄えられた電力は、ＤＣ分電盤４０からＤＣ家電４２に給電される。ＤＣ家電４２にはＬＥＤ照明４４などが含まれる。蓄電池３２に蓄えられた電力は、さらに、ＤＣ／ＡＣコンパータおよび昇圧部４４を介し、ＡＣ分電盤４６からＡＣ家電４８に給電される。ＡＣ家電４８は通常の家庭用コンセントから給電される一般家電製品である。なお、制御部２８は、深夜料金時間帯において、または深夜料金時間帯以外において蓄電池３２の電力が欠乏している時にＡＣ家電４８を単相３線商用電源１４にて直接駆動するため、売電メータ２４とＡＣ分電盤４６の間に接続されたＣスイッチ５０を閉じるよう制御する。
【００２０】
第２家庭６は第１家庭４と同様の構成であるが、簡単のために代表的な構成の図示に留め、他は省略している。図１に明らかなように、第２家庭６には、第１家庭４の蓄電池３２と同様の蓄電池５２が設けられているが、両者は互いに充電された電力の有料融通が可能である。この融通のための料金は単相３線商用電源１４からの深夜電力料金に交流直流間の変換や蓄電池３２、５２の充放電の際の損失分を上乗せした程度であり、通常電力料金よりも大幅に安くなっている。この目的のため、ＤＣ分電盤４０には直流売電用のＤスイッチ５４および直流買電用のＥスイッチ５６が接続されており、直流売買メータ５８を介して第２家庭６と接続されている。損益表示部６０には、売電メータ２４、時間帯別買電メータ２６および直流売買メータ５８がそれぞれ接続されており、売電および買電の損益を表示する。
【００２１】
第１家庭４との直流電力融通のための第２家庭６側のスイッチ６２は、第１家庭４のＤスイッチ５４および直流買電用のＥスイッチ５６と同様の構成であり、これらをまとめて図示したものである。なお、第２家庭６のＤＣ売買メータは図示を省略している。直流売買は、実施には第１家庭４と第２家庭６との二者間取引ではなく、マンション２入居のすべての家庭の間における一対他取引であり、このため各家庭間は共通の直流配線に接続されている。既に述べたように第２家庭６やその他不図示の家庭は第１家庭４と同じ構成を有する。第２家庭６について主なものについて述べると、太陽光発電パネル８の第２家庭用パネル１２は接続箱６４を介してパワーコンディショナー６６に接続されている。売電買電メータ６８は第１家庭４の売電メータ２４および時間帯別買電メータ２６と同様のものであり、これらをまとめて図示したものである。そして売電買電メータ６８を介して買電された交流電力はスイッチ７０を介して蓄電池５２を充電している。ＡＣ／ＤＣコンパータおよび降圧部は図示を省略している。パワーコンディショナー６６からの太陽光発電電力は売電買電メータ６８を介して売電されるとともに、スイッチ７２を介して蓄電池５２を蓄電している。降圧部は図示を省略している。その他、逐一の説明および図示を省略するが、第２家庭６は第１家庭４と同様の構成を持っている。
【００２２】
図２は、制御部２８による各スイッチの制御状態をまとめたもので、図２（Ａ）は、Ａスイッチ３４、Ｂスイッチ３６およびＣスイッチ５０に関するものであるとともに、図２（Ｂ）は、Ｄスイッチ５４およびＥスイッチ５６に関するものである。図２（Ａ）から明らかなように、太陽光発電電力を蓄電池３２に充電するためのＡスイッチ３４は、太陽光発電電力があって蓄電池３２に蓄えられた電力が欠乏している場合に閉じられ、その他の場合は開かれている。なお、図２（Ａ）において「（ＯＮ）」のようにＯＮを括弧で囲んでいるのはスイッチが補助的に閉じられる場合であることを示す。つまり、既に述べたように、蓄電池３２の充電は通常は深夜電力料金での単相３線商用電源１４から行われ、Ａスイッチ３４を介した充電は、深夜電力料金時間帯以外に蓄電池３２の電力が不足した場合におけるあくまで補助的なものである。
【００２３】
Ｂスイッチ３６は、深夜電力料金時間帯において単相３線商用電源１４から蓄電池３２を充電するために閉じられるとともに、太陽光発電のない日没後であってまだ深夜電力料金時間帯になっていない状態において蓄電池３２の電力が不足した場合に、補助的に閉じられる。Ｂスイッチ３６は、その他の状況では開かれている。一方、Ｃスイッチ５０は、深夜電力料金時間帯において単相３線商用電源１４の電力を直接消費してＡＣ家電４８を駆動するために閉じられる。これは、深夜料金時間帯では、Ｂスイッチ３６から蓄電池３２を一旦経由するよりも直接駆動する方が電力損失がなく、効率的だからである。Ｃスイッチ５０は、さらに、太陽光発電の有無にかかわらず、蓄電池３２に蓄えられた電力が欠乏している場合に補助的に閉じられる。
【００２４】
また、図２（Ｂ）に明らかなように、蓄電池３２から他の家庭に直流電力を売電するためのＤスイッチ５４および他の家庭から直流電力を買電して蓄電池３２を充電するためのＥスイッチ５６は、まず深夜電力料金時間帯において閉じられる。これは、深夜料金時間帯では、家庭の垣根を越えて各家庭の蓄電池を仮想的な一つの大きな蓄電池と考え、可能な限り協力して安価な電力の蓄積に努めるとともに容量に余裕のある家庭に電力の融通を行うためである。なお、蓄電池３２には深夜電力料金で充電した電力とともに単価の高い太陽光発電や通常時間帯の買電による電力も蓄積されている可能性がある。このような高い単価で充電した電力分を深夜電力料金並みの単価で他の家庭に融通するのでは電力融通の清算に混乱が生じるので、本実施例では、蓄電池３２に蓄えられた電力のうち高い単価で充電した電力分を除き、深夜電力料金で買電して充電した電力分のみを対象にしてそこに余剰がある場合のみ他の家庭への融通を行う。
【００２５】
図２（Ｂ）では、上記のような考えに従って深夜電力料金時間帯以外でのスイッチ制御を行う。まず、蓄電池３２から他の家庭に直流電力を売電するためのＤスイッチ５４は、蓄電池３２の充電電力が足りている場合であって且つ深夜電力料金既買電分に余裕がある場合のみ閉じられ、他の場合は開かれる。一方。他の家庭から直流電力を買電して蓄電池３２を充電するためのＥスイッチ５６は、蓄電池３２の充電電力が欠乏している場合に閉じられ、他の場合は開かれる。
【００２６】
図３は、蓄電池３２の電力の充足または欠乏および上記の直流電力買電の余剰について説明するための蓄電電力の構成図である。図３（Ａ）および図３（Ｂ）は、蓄電池３２の容量１０２中の蓄電量が深夜電力料金で買電した電力分１０４のみで構成されている場合の例である。ここで図３（Ａ）では、深夜料金買電分１０４は、次の深夜料金時間帯までに消費可能な電力のライン１０６を超えた余剰分がある状態で充電されている。この場合は、深夜電力料金時間帯以外において蓄電池３２を充電する必要がなく、且つ余剰電力分は他の家庭に売電可能である。これに対し、図３（Ｂ）では、深夜料金買電分１０４による充電量は、次の深夜料金時間帯までに消費可能な電力のライン１０６に満たない。この場合は、次の深夜電力料金時間帯までに蓄電池３２を充電する必要がある。そして、当然ながら、他の家庭に売電可能な余剰分はない。
【００２７】
上記に対し、図３（Ｃ）から図３（Ｅ）は、蓄電池３２の容量１０２中の蓄電量が深夜電力料金で買電した電力分１０４、および単価の高い発電充電分プラス通常料金買電分１０８で構成されている場合の例である。ここで図３（Ｃ）では、深夜料金買電分１０４だけでも次の深夜料金時間帯までに消費可能な電力のライン１０６を超えており、当然ながらトータルの充電量もライン１０６を超えている。従って、深夜電力料金時間帯以外において蓄電池３２を充電する必要はない。ここで注意すべきは、他の家庭に買電できる余剰電力が、ライン１０６を超えている全ての電力ではなく、そこから単価の高い発電充電分プラス通常料金買電分１０８を除いた部分であることである。
【００２８】
一方、図３（Ｄ）では、深夜料金買電分１０４が次の深夜料金時間帯までに消費可能な電力のライン１０６を下回っており、単価の高い発電充電分プラス通常料金買電分１０８を加えたトータルがライン１０６を超えている。この状態では、深夜電力料金時間帯以外において蓄電池３２を充電する必要はないが、他の家庭に売電できる余剰電力はない。図３（Ｅ）は、深夜料金買電分１０４が次の深夜料金時間帯までに消費可能な電力のライン１０６を下回っており、単価の高い発電充電分プラス通常料金買電分１０８を加えたトータルでもライン１０６を下回っている。この状態では、深夜電力料金時間帯以外において単価の高い電力源から蓄電池３２をさらに充電する必要がある。当然ながら、他の家庭に売電できる余剰電力はない。
【００２９】
図４は、深夜電力料金で買電した電力の融通について説明するための蓄電電力の構成図であり、図３と同じ意味の部分には同じ番号を付す。また、図４（Ａ１）は第１家庭４の蓄電池３２の蓄電電力構成であり、図４（Ａ２）が第２家庭６の蓄電池５２の蓄電電力構成である。そして、これら図４（Ａ１）および図４（Ａ２）は、蓄電電力の融通がない場合である。図４（Ａ１）に明らかなように、第１家庭４では、蓄電池３２の容量１０２中の蓄電量が深夜電力料金で買電した電力分１０４のみで構成されている。そして、充電量が次の深夜料金時間帯までに消費可能な電力のライン１０６を超えているため、深夜電力料金時間帯以外において蓄電池３２を充電する必要がない。一方、第２家庭６の蓄電池５２は、深夜電力料金で買電した電力分１０４、および単価の高い発電充電分プラス通常料金買電分１０８で構成されている。そして深夜料金買電分１０４については次の深夜料金時間帯までに消費可能な電力のライン１０６を下回っているが、単価の高い発電充電分プラス通常料金買電分１０８を加えたトータルがライン１０６を超えているので、第１家庭４と同様、深夜電力料金時間帯以外において蓄電池３２を充電する必要はない。しかしながら、第２家庭６で次の深夜電力料金時間帯までに消費予定の電力には単価の高い電力分が含まれており、コスト高になっている。
【００３０】
これに対し、図４（Ｂ１）は第１家庭４の蓄電池３２の蓄電電力構成であり、図４（Ｂ２）が第２家庭６の蓄電池５２の蓄電電力構成であるが、電力の融通がある場合を示したものである。図４（Ｂ１）に明らかなように、第１家庭４の余剰電力のうち売電分１１２は矢印１１４で示すように第２家庭６で買電され、図４（Ｂ２）に示すように蓄電池５２に買電分１１６として充電される。これによって図４（Ｂ２）の第２家庭６の蓄電池５２における電力構成は、深夜電力料金で買電した電力分１０４に第１家庭４からの買電分１１６をプラスしたものとなり、いずれも、深夜電力料金並みの低コストの構成となる。このように、複数家庭間で深夜電力料金で買電した電力を融通することにより、全体として低コストの電力調達が実現する。
【００３１】
図５は、本発明の第１実施例における図１の制御部２８のスイッチ制御機能を示す基本フローチャートである。フローはシステムの設置によりスタートし、まずステップＳ２で次の深夜料金時間帯までに自家庭で消費可能な充電量および次の深夜料金時間帯までに他家庭に融通可能な余剰充電量を設定する処理を行う。その詳細は後述する。次いで、ステップＳ４で現時刻が深夜電力料金時間帯かどうかのチェックを行う。そして深夜電力料金時間帯でなければステップＳ６に進み、蓄電池３２の充電量が次の深夜料金時間帯までに自家庭で消費可能な充電量以上あるかどうかチェックする。
【００３２】
ステップＳ６で次の深夜電力料金時間帯までに消費可能な充電量があると判断された場合はステップＳ８に進み、太陽光発電充電のためのＡスイッチ３４を開くとともにステップＳ１０に進み、単相３線の商用電源１４からの交流電力を充電するためのＢスイッチ３６を開く。さらにステップＳ１２では、単相３線の商用電源１４からの交流電力を直接消費するためのＣスイッチ５０を開いてステップＳ１４に移行する。以上のようにして、蓄電池３２の充電量が次の深夜料金時間帯までに自家庭で消費可能な充電量以上ある場合には、電力消費はもっぱら蓄電池の電力によってまかなわれる。これはＤＣ家電４２だけでなくＡＣ家電４８についても該当する。従って太陽光発電電力がある場合は、買電のスイッチを開くことにより発電量を全て売電に回し、２倍金額の収益を上げることができる。
【００３３】
一方、ステップＳ６で次の深夜電力料金時間帯までに消費可能な充電量が不足していると判断された場合はステップＳ１６に進み、太陽光発電中かどうかのチェックを行う。そして太陽光発電中であれば、ステップＳ１８に進み、太陽光発電充電のためのＡスイッチ３４を閉じる。さらにステップＳ２０では、単相３線の商用電源１４からの交流電力を充電するためのＢスイッチ３６を開く。これによって太陽光発電中は不足分の充電は太陽光発電電力のみによって行われるようになる。さらにステップＳ２２では、単相３線の商用電源１４からの交流電力を直接消費するためのＣスイッチ５０を閉じでステップＳ１４に移行する。Ｃスイッチ５０を閉じるのは、直接消費に関しては、二倍で売れる可能性のある太陽光発電分を自家消費してしまうより、通常料金で買電した交流電力を消費する方が経済的だからである。
【００３４】
また、ステップＳ４で深夜電力料金時間帯であることが確認された場合はステップＳ２４に進み、発電のない太陽光発電充電用のＡスイッチ３４を開く。さらにステップＳ２６では、単相３線の商用電源１４からの交流電力を充電するためのＢスイッチ３６を閉じ、深夜電力料金での単相３線商用電源１４からの交流電力を買電して蓄電池３２の充電を可能とする。そしてステップＳ２２に移行してＣスイッチ５０を閉じ、深夜電力料金での単相３線商用電源１４からの交流電力の直接消費も可能としてステップＳ１４に移行する。
【００３５】
ステップＳ１４では、蓄電池３２における他家庭との直流売買の処理を行ってステップＳ２８に移行する。ステップＳ１４の詳細は後述する。ステップＳ２８ではシステムの定期メンテナンス時期の到来または手動によるメンテナンス操作の有無をチェックし、いずれの検出もなければステップＳ２に戻る。以後ステップＳ２８でメンテナンス検知が行われない限りステップＳ２からステップＳ２８が繰り返され、種々の状況に対応して各スイッチの制御を行われる。
【００３６】
図６は、図５のステップＳ１４における直流売買処理の詳細を示すフローチャートである。フローがスタートすると、ステップＳ３２で深夜電力料金時間帯に該当するかどうかのチェックが行われ、該当がなければステップＳ３４に進んで、蓄電池３２の充電量が次の深夜料金時間帯までに自家庭で消費可能な充電量以上あるかどうかチェックする。そして該当すれば買電の必要はないのでステップＳ３６に進み、直流買電用のＥスイッチ５６を開いてステップＳ３８に移行する。ステップＳ３８では、次の深夜料金時間帯までに他家庭に融通可能な深夜買電分充電量の余剰があるかどうかチェックする。そして余剰がなければステップＳ４０に進んで直流売電用のＤスイッチ５４を開いてフローを終了する。
【００３７】
一方、ステップＳ３４で蓄電池３２の充電量が次の深夜料金時間帯までに自家庭で消費可能な充電量以上ないことが確認されると、ステップＳ４２に進み、直流買電用のＥスイッチ５６を閉じて他家庭からの直流買電を可能とする。そして、当然ながら売電の余剰分はないのでステップＳ４０に進み、直流売電用のＤスイッチ５４を開いてフローを終了する。さらに、ステップＳ３２で深夜電力料金時間帯に該当することが確認されるとステップＳ４４に進み、直流買電用のＥスイッチ５６を閉じて他家庭からの買電を可能にするとともにステップＳ４６で直流売電用のＤスイッチ５４を閉じ、他家庭への売電を可能とする。このように、深夜電力料金時間帯では、自由に直流電力の売買が可能となる。なお、ステップＳ３８で次の深夜料金時間帯までに他家庭に融通可能な深夜買電分充電量の余剰があることが確認された場合はステップＳ４６に進み、直流売電用のＤスイッチ５４を閉じてフローを終了する。このように深夜電力料金時間帯以外では、深夜買電分の充電電力に余剰がある場合のみ売電を可能とし、次の深夜料金時間帯までに消費可能な電力が充電されていても、コスト高充電分を差し引いたときに余剰がなければ、他家庭への融通を行わない。
【００３８】
図７は、図５のステップＳ２における次の深夜料金時間帯までに自家庭で消費可能な充電量および次の深夜料金時間帯までに他家庭に融通可能な余剰充電量を設定する処理の詳細を示すフローチャートである。フローがスタートすると、ステップＳ５２で深夜料金時間帯が満了する午前７時が到来したかどうかをチェックする。ステップＳ５２のチェックは、午前７時以降、図５のフローの繰り返しの数周期後までに該当する極短時間帯のみ行われ、その時間帯が過ぎると、午前７時到来に該当するものとは判断されない。ステップＳ５２で午前７時到来が検知されるとステップＳ５４に進み、一日分の電力消費蓄積データをリセットするとともに蓄積を再スタートさせ、ステップＳ５６に移行する。一方、ステップＳ５２で午前７時到来が検知されない場合は直接ステップＳ５６に移行する。
【００３９】
ステップＳ５６では、深夜料金時間帯であるか否かのチェックが行われ、深夜料金時間帯でなければ、ステップＳ５８で蓄電池３２が放電中であるかどうかのチェックが行われる。これは蓄電池３２に蓄えられた電力が消費中かどうかのチェックを意味する。放電中でなければステップＳ６０に進み、Ｃスイッチ５０を閉じる指示中であるかどうかをチェックする。これは、単相３線商用電源１４の電力を直接消費してＡＣ家電４８を駆動しているかどうかのチェックである。そして該当すればステップＳ６２に進んで総消費電力データの蓄積を行いステップＳ６４に移行する。また、ステップＳ５８で蓄電池３２の放電が検知されたときもステップＳ６２に移行する。
【００４０】
このようにして、蓄電池３２の放電または単相３線商用電源１４の直接消費があったときはいずれもステップＳ６２で消費電力データの蓄積が行われる。なお、いずれがきっかけでステップＳ６２に移行したとしても、ステップＳ６２では総消費電力データを蓄積するので、蓄電池３２の放電および単相３線商用電源１４の直接消費の両者が同時に生じているときはそれらを加算した消費電力データの蓄積が行われる。一方、ステップＳ５６で深夜時間帯であることが検知されたとき、またはステップＳ６０でＣスイッチ５０を閉じる指示中であることが検知されなかったときは、いずれも消費電力の蓄積は不要なので直接ステップＳ６４に移行する。
【００４１】
ステップＳ６４では、深夜電力料金時間帯が開始する午後１１時が到来したかどうかチェックする。ステップＳ６４のチェックも、ステップＳ５２と同様にして、午後１１時以降、図５のフローの繰り返しの数周期後までに該当する極短時間帯のみ行われ、その時間帯が過ぎると、午後１１時到来に該当するものとは判断されない。ステップＳ６４で午後１１時到来が検知されるとステップＳ６６に進み、一日分の電力消費蓄積データ蓄積を終了し、その日の実績としての午前７時から午後１１時までの消費電力データを確定する。次のステップＳ６８では、現時点で設定されている深夜電力料金時間帯までに消費可能な充電量データを呼出す。そしてステップＳ７０において、ステップＳ６８で呼出した現時点のデータとステップＳ６８で確定した最新の一日のデータを加重平均し、深夜電力料金時間帯までに消費可能な電力量データを更新してステップＳ７２に移行する。一方、ステップＳ６４で午後１１時到来が検知されないときは直接ステップＳ７２に移行する。このようにして、予測値である深夜電力料金時間帯までに消費可能な電力量データを実績に基づいて日々修正し、実際との乖離がないようにする。
【００４２】
ステップＳ７２では、蓄電池３２中における家庭間で融通不可なコスト高の電力分を計算する処理を行う。その詳細は後述する。次いで、ステップＳ７４では、次の深夜電力料金時間帯までに消費可能な充電量データを呼出す。このデータは、ステップＳ６６からステップＳ７０が機能した場合、更新された最新データである。そして、ステップＳ７６では、ステップＳ７４で呼出したデータからステップＳ７２で得た融通不可分データを減算する。次のステップＳ７８では、ステップＳ７６の減算結果を次の深夜料金時間帯までに融通可能な余剰充電量データとして更新し、フローを終了する。
【００４３】
図８は、図７のステップＳ７２における融通不可分計算処理の詳細を示すフローチャートである。フローがスタートすると、ステップＳ８２で現時点での蓄電池３２中の融通不可分電力データを呼出す。そしてステップＳ８４で深夜電力料金時間帯であるかどうかのチェックが行われる。深夜料金時間帯でないときはコスト高の充電が行われる可能性があるのでステップＳ８６に進み、Ｂスイッチ３６を閉じる旨の指示中かどうかのチェックが行われる。該当すればステップＳ８８に進み、Ｂスイッチ３６経由で行われる単相３線商用電源１４から蓄電池３２への充電量を融通不可分としてステップＳ８２で呼出したデータに加算してステップＳ９０に移行する。一方、ステップＳ８６でＢスイッチ３６を閉じる旨の指示中でなければ直接ステップＳ９０に移行する。
【００４４】
ステップＳ９０では、Ａスイッチ３４を閉じる旨の指示中かどうかのチェックが行われる。該当すればステップＳ９２に進み、Ａスイッチ３４経由で行われる太陽光発電電力による蓄電池３２への充電量を融通不可分としてステップＳ８２で呼出したデータに加算してステップＳ９４に移行する。一方、ステップＳ９０でＡスイッチ３４を閉じる旨の指示中でなければ直接ステップＳ９４に移行する。また、ステップＳ８４で深夜料金時間帯でなかったときも、直接ステップＳ９４に移行する。
【００４５】
ステップＳ９４では、蓄電池３２が放電中であるかどうかのチェックが行われる。該当すればステップＳ９６に進み、Ｄスイッチ５４を閉じる旨の指示中かどうかのチェックが行われる。そして該当すればステップＳ９８に進み、Ｄスイッチ５４経由の他家庭への電力融通のための放電量データを融通計算から除外してステップＳ１００に移行する。他家庭への融通は、自家庭での消費には該当しないからである。一方、ステップＳ９６でＤスイッチ５４を閉じる旨の指示中でなければ蓄電池３２の放電は全て自家庭での消費を意味するので直接ステップＳ１００に移行する。ステップＳ１００では、放電量すなわち自家庭での消費電力量を、ステップＳ８２において融通不可分として呼出したデータから減算する。これは、融通不可の高コスト電力を自家庭で消費した結果、その分だけ融通不可分が減ったことを意味する。
【００４６】
次いでステップＳ１０２では、ステップＳ１００での減算の結果、融通不可分がマイナスになったかどうかをチェックする。そして融通不可分がマイナスになればステップＳ１０４に進んで融通不可分データをゼロに設定してステップＳ１０６に移行する。融通不可分がなくなった以上、それ以上の電力消費を融通不可分の計算に入れることは不合理だからである。一方、ステップＳ１０２で融通不可分がマイナスにならない場合は減算結果の融通不可分をそのまま採用するため直接ステップＳ１０６に移行する。なお、ステップＳ９４で蓄電池３２が放電中であることが検知されないときは融通不可分の減少はないので直接ステップＳ１０６に移行する。ステップＳ１０６では、以上の結果を更新された蓄電池中の融通不可分データとして格納しフローを終了する。
【００４７】
上記の第１実施例では、各家庭がマンション２に入居している例を示したが、本発明の上記種々の特徴はマンションのような集合住宅での実施に限るものではなく、一戸建ての並んだ住宅地においても同様に実施可能である。この場合、各家庭用の太陽光発電パネルは、それぞれの一戸建て住宅の屋根に設置されることになる。
【００４８】
上記のように、第１実施例によれば、第１電力源と、前記第１電力源の出力が入力される第１充電池と、前記第１充電池の出力が入力される第１電力消費部と、を備えた第１ユニットと；第２充電池と；前記第１充電池と前記第２充電池との間で電力を共有するための電力ラインと；を有する電力システムが提供される。そして、第１実施例の場合、第１電力源（および第２電力源）は、商用電源である。
【００４９】
ここで、第１実施例は、太陽光発電電力の売電価格が高く設定されている場合を前提とし、高く売れる太陽光発電電力は自分で使ってしまわず、電力消費は商用電源から安価な深夜料金電力を買電して行うことにより、その差額を儲ける（ＡＣ／ＤＣ変換時のロスを差し引いても儲かる）という考え方に立っている。そのため、第１実施例では、太陽光発電電力の利用について、電力の融通はおろか自己消費さえ控えて、できる限りＤＣ／ＡＣ変換して売電することに徹する（電力の融通は深夜料金電力について行う）という考え方が採用されている。
【００５０】
（第２実施例）
以下では、第２実施例におけるＤＣ電力ネットワーク網（蓄電池分散システム）の構築について、詳細な説明を行う。
【００５１】
図９は、一般的な集合住宅の電力供給システムを示す模式図である。
【００５２】
従来、マンションなどの集合住宅１００に太陽光発電システムを導入した場合、太陽光パネル１０２やパワーコンディショナー１０３は、各個人（居室１０１の居住者毎）の所有物となる。
【００５３】
そこで、以下の第２実施例では、太陽光パネルやパワーコンディショナーが個人所有であることを前提とした上で、集合住宅であることを活かした独自のメリットが産まれるＤＣ電力ネットワーク網を提案する。ただし、上記の「集合住宅」とは、必ずしも、マンションやアパートなどに限定されるものではなく、例えば、一戸建て住宅の集合体であってもよい。
【００５４】
図１０は、ＤＣ電力ネットワーク網（蓄電池分散システム）の一実施形態を示す模式図である。
【００５５】
本実施形態のＤＣ電力ネットワーク網に含まれる複数のユニット２０１は、各個人毎の家庭（例えば、マンションの居室や一戸建て住宅）に相当するものであり、それぞれ、ユニット制御部２０１ａと、太陽光パネル２０１ｂと、ユニット蓄電池２０１ｃと、を有している。なお、ユニット蓄電池２０１ｃとして、小容量（例えば、自動車のバッテリー程度）の蓄電池を用いれば、ＤＣ電力ネットワーク網の増減築を容易に行うことができる。
【００５６】
また、本実施形態のＤＣ電力ネットワーク網では、複数のユニット２０１と、共有蓄電池２０２と、第１クラスの共有電力ライン２０３と、第１クラスのグループ制御部２０４と、を含むように、第１クラスのグループ２０５が形成されている。なお、上記複数のユニット２０１は、それぞれ、グループ制御部２０４による統括管理の下、共有電力ライン２０３を介して共有蓄電池２０２を共有している。
【００５７】
また、本実施形態のＤＣ電力ネットワーク網では、複数のグループ２０５と、第１クラスの共有蓄電池２０６と、第２クラスの共有電力ライン２０７と、第２クラスのグループ制御部２０８と、を含むように、第２クラスのグループ２０９が形成されている。なお、上記複数のグループ２０５は、それぞれ、グループ制御部２０８による統括管理の下、共有電力ライン２０７を介して共有蓄電池２０６を共有している。
【００５８】
また、本実施形態のＤＣ電力ネットワーク網では、複数のグループ２０９と、第２クラスの共有蓄電池２１０と、第３クラスの共有電力ライン２１１と、第３クラスのグループ制御部２１２と、を含むように、第３クラスのグループ２１３が形成されている。なお、上記複数のグループ２０９は、それぞれ、グループ制御部２１２による統括管理の下、共有電力ライン２１１を介して共有蓄電池２１０を共有している。
【００５９】
また、本実施形態のＤＣ電力ネットワーク網では、上記と同様のグループ形成が繰り返され、最上位クラスのグループとして、第Ｎクラス（階層数Ｎは任意）のグループ２１４が形成されている。そして、最終的には、複数のグループ２１４と、第Ｎクラスの共有蓄電池２１５と、ルートクラスの共有電力ライン２１６と、ルート制御部２１７と、ＡＣ／ＤＣコンバータ２１８と、ＤＣ／ＡＣコンバータ２１９と、を含むように、ルート２２０が形成されている。なお、上記複数のグループ２１４は、それぞれ、ルート制御部２１７による統括管理の下、共有電力ライン２１６を介して共有蓄電池２１５を共有している。
【００６０】
また、本実施形態のＤＣ電力ネットワーク網では、ルート２２０と電力会社２２１との間でＡＣ電力の買電／売電が行われるため、ユニット２０１やグループ２０５、２０９、２１３、…、２１４と電力会社２２１との間でＡＣ電力の買電／売電が直接的に行われることは基本的に認められていない。ただし、ＤＣ電力ネットワーク網全体としての蓄電電力が絶対的に不足した場合であっても、ユニット２０１が所有する電気機器への電力供給は継続しなければならない。そこで、本実施形態のＤＣ電力ネットワーク網では、ユニット２０１が電力会社２２１からＡＣ電力を直接的に買電するための経路を残した構成とされている。
【００６１】
このように、本実施形態のＤＣ電力ネットワーク網は、太陽光パネル２０１ｂやパワーコンディショナー（不図示）が個人所有であることを前提として構築されており、大規模なインフラ整備を不要とするものである。
【００６２】
また、本実施形態のＤＣ電力ネットワーク網は、ユニット／グループ間（ユニット蓄電池２０１ｃと共有蓄電池２０２との間）、グループ／グループ間（共有蓄電池２０２と共有蓄電池２０６との間、共有蓄電池２０６と共有蓄電池２１０との間など）、若しくは、グループ／ルート間（第Ｎクラスのグループ２１４に属する共有蓄電池（不図示）と共有蓄電池２１５との間）で、それぞれの蓄電容量を相互に融通し合うことにより、ＤＣ電力ネットワーク網全体の蓄電容量を大きく見せかける構成とされている。また、本実施形態のＤＣ電力ネットワーク網では、いずれかの蓄電池が満充電となっている状態をできる限り回避すべく、上記したユニット／グループ間、グループ／グループ間、ないし、グループ／ルート間における蓄電容量の相互融通（蓄電池間の充放電）を頻繁に行う構成とされている。このような構成とすることにより、ユニット２０１の太陽光パネル２０１ｂで得られたＤＣ電力を最大限ＤＣ電力のまま使用することができるので、ＤＣ／ＡＣ変換やＡＣ／ＤＣ変換に伴う電力ロスを低減することが可能となる。
【００６３】
図１１は、ユニットの一構成例を示す模式図である。本構成例のユニット３００には、ユニット制御部３０１と、ユニット蓄電池３０２と、電力監視部３０３と、充電制御部３０４と、ＡＣ／ＤＣコンバータ３０５と、ＤＣ／ＡＣコンバータ３０６と、ＡＣプラグ３０７と、ＤＣプラグ３０８〜３１０と、照明器具３１１と、パソコン３１２と、薄型テレビ３１３と、買電／充電用のスイッチａ１及びａ２と、売電／放電／消費用のスイッチｂ１〜ｂ５と、が含まれている。また、ユニット３００が属するグループには、グループ制御部３１４と、共有蓄電池３１５と、共有電力ライン３１６と、が含まれている。また、ユニット３００が電力会社３１７からＡＣ電力を直接的に買電するための経路上には、電力監視部３１８が設けられている。なお、図１１は、ユニット３００の構成要素に着目した図面であり、ユニット外の構成要素（ユニット３００が属するグループの構成要素）については、その一部のみが描写されている。
【００６４】
ユニット制御部３０１は、スイッチａ１及びａ２のオン／オフ制御（買電／充電制御）やスイッチｂ１〜ｂ５のオン／オフ制御（売電／放電／消費制御）を行う。なお、ユニット制御部３０１は、ユニット蓄電池３０２と共有蓄電池３１５との間でＤＣ電力の充放電を行う際、グループ制御部３１４に買電要求または売電要求を出力し、グループ制御部３１４から応答された買電指示または売電指示の内容を確認する。
【００６５】
ユニット蓄電池３０２は、先にも述べたように、小容量（例えば、自動車のバッテリー程度）の蓄電池である。なお、ユニット蓄電池３０２は、「パワーコンディショナー（不図示）からのＤＣ給電」と「共有蓄電池３１５からのＤＣ買電」によって充電される。また、ユニット蓄電池３０２は、「ユニット３００内の電力消費」と「共有蓄電池３１５へのＤＣ売電」によって放電される。
【００６６】
電力監視部３０３は、太陽光パネル（不図示）からパワーコンディショナー（不図示）を介してＤＣ給電される発電電力と、ユニット３００内の消費電力（ユニット蓄電池３０２の放電電力）とを比較して、ユニット蓄電池３０２の電力監視を行う。すなわち、発電電力が消費電力よりも大きければ、ユニット蓄電池３０２が電力余剰状態（ユニット蓄電池３０２の電力収支がプラス（余剰）の状態）であると判定される。逆に、発電電力が消費電力よりも小さければ、ユニット蓄電池３０２が電力不足状態（ユニット蓄電池３０２の電力収支がマイナス（不足）の状態）であると判定される。
【００６７】
充電制御部３０４は、パワーコンディショナー（不図示）、または、共有電力ライン３１６から供給されるＤＣ電力をユニット蓄電池３０２の充電に適したレベルに変換する。なお、ユニット３００が所有するパワーコンディショナー（不図示）は、電力会社３１７からの商用ＡＣ電力との間で系統連系を行う必要がないので、太陽光パネル（不図示）で得られたＤＣ電力をＡＣ電力に変換することなく、直接的に充電制御部３０４に供給する構成とすればよい。このような構成であれば、パワーコンディショナー（不図示）からユニット蓄電池３０２への充電に際して、ＤＣ／ＡＣ変換処理やＡＣ／ＤＣ変換処理に伴う電力ロスを生じることはない。
【００６８】
ＡＣ／ＤＣコンバータ３０５は、電力会社３１７から供給されるＡＣ電力をＤＣ電力に変換してＤＣプラグ３０８〜３１０に供給する。
【００６９】
ＤＣ／ＡＣコンバータ３０６は、ユニット蓄電池３０２から放電されるＤＣ電力をＡＣ電力に変換してＡＣプラグ３０７に供給する。
【００７０】
ＡＣプラグ３０７は、居室内にＡＣ電力を引き出すためのプラグである。
【００７１】
ＤＣプラグ３０８〜３１０は、居室内にＤＣ電力を引き出すためのプラグである。
【００７２】
照明器具３１１としては、ハロゲン灯（ＡＣ負荷）、蛍光灯（ＡＣ負荷）、ＬＥＤ照明（ＤＣ負荷）などを用いることができる。なお、図１１では、ＡＣプラグ３０７から引き出されたＡＣ電力がハロゲン灯に直接供給される給電経路が示されている。また、図１１では、ＤＣプラグ３０８からのＤＣ電力がＤＣ／ＡＣコンバータを介して蛍光灯に供給される給電経路と、ＤＣ／ＤＣコンバータを介してＬＥＤ照明に供給される給電経路が示されている。このように、ＡＣ負荷であるハロゲン灯や蛍光灯については、電力会社３１７から購入したＡＣ電力や、ユニット蓄電池３０２から放電されたＤＣ電力をＤＣ／ＡＣ変換して生成されたＡＣ電力を供給することができる。また、ＤＣ負荷であるＬＥＤ照明については、ユニット蓄電池３０２から放電されたＤＣ電力や、電力会社３１７から購入したＡＣ電力をＡＣ／ＤＣ変換して生成されたＤＣ電力を供給することができる。
【００７３】
パソコン３１２は、ＣＰＵやＨＤＤ（いずれもＤＣ負荷）を有している。なお、図１１では、ＤＣプラグ３０９からのＤＣ電力がパソコン３１２に引き込まれ、ＤＣ／ＤＣコンバータを介してＣＰＵやＨＤＤに供給される給電経路が示されている。このような構成とすることにより、パソコン３１２にＡＣ／ＤＣコンバータを設ける必要がなくなるので、機器の小型化やコストダウンを図ることができる上、ＡＣ／ＤＣ変換処理に伴う電力ロスも解消することが可能となる。
【００７４】
薄型テレビ３１３は、液晶パネルやバックライト（いずれもＤＣ負荷）を有している。なお、図１１では、ＤＣプラグ３１０からのＤＣ電力が薄型テレビ３１３に引き込まれ、ＤＣ／ＤＣコンバータを介して液晶パネルやバックライトに供給される給電経路が示されている。このような構成とすることにより、薄型テレビ３１３にＡＣ／ＤＣコンバータを設ける必要がなくなるので、機器の小型化やコストダウンを図ることができる上、ＡＣ／ＤＣ変換処理に伴う電力ロスも解消することが可能となる。
【００７５】
スイッチａ１は、ユニット制御部３０１によってオン／オフ制御され、ＡＣ／ＤＣコンバータ３０５とＤＣプラグ３０８〜３１０との間を導通／遮断する。スイッチａ２は、ユニット制御部３０１によってオン／オフ制御され、共有電力ライン３１６からユニット蓄電池３０２への充電経路（ＤＣ買電経路）を導通／遮断する。
【００７６】
スイッチｂ１は、ユニット制御部３０１によってオン／オフ制御され、電力会社３１７からＡＣプラグ３０７へのＡＣ給電経路を導通／遮断する。スイッチｂ２は、ユニット制御部３０１によってオン／オフ制御され、ＤＣ／ＡＣコンバータ３０６とＡＣプラグ３０７との間を導通／遮断する。スイッチｂ３は、ユニット制御部３０１によってオン／オフ制御され、ＡＣ／ＤＣコンバータ３０５とＤＣプラグ３０８〜３１０との間を導通／遮断する。スイッチｂ４は、ユニット制御部３０１によってオン／オフ制御され、ユニット蓄電池３０２とＤＣプラグ３０８〜３１０との間を導通／遮断する。スイッチｂ５は、ユニット制御部３０１によってオン／オフ制御され、ユニット蓄電池３０２から共有電力ライン３１６への放電経路（ＤＣ売電経路）を導通／遮断する。
【００７７】
グループ制御部３１４は、ユニット蓄電池３０２と共有蓄電池３１５との間でＤＣ電力の充放電を行う際、グループ制御部３１４からの買電要求または売電要求を受け取り、ユニット制御部３０１への応答として、買電指示または売電指示を出力する。
【００７８】
共有蓄電池３１５は、共有電力ライン３１６に接続されており、ユニット蓄電池３０２との間でＤＣ電力の充放電を行う。
【００７９】
共有電力ライン３１６は、ユニット蓄電池３０２と共有蓄電池３１５との間でＤＣ電力を充放電するための経路である。
【００８０】
電力会社３１７は、ユニット３００にＡＣ電力を供給する。
【００８１】
電力監視部３１８は、電力会社３１７からユニット３００に供給されたＡＣ電力の電力量を所定期間（例えば１ヶ月）毎に積算することで、ユニット３００に対する課金情報を取得するための電力メータである。
【００８２】
図１２は、ユニット制御部３０１の動作一覧表であり、左から順に、動作状態毎に付した番号、電力監視部３０３の電力監視結果、ユニット制御部３０１から出力される買電要求／売電要求の有無、グループ制御部３１４の買電指示／売電指示の内容、買電／充電用のスイッチａ１及びａ２のオン／オフ状態、売電／放電／消費用のスイッチｂ１〜ｂ５のオン／オフ状態、及び、各動作状態毎の特徴（メリット／デメリット）が示されている。
【００８３】
第１動作状態は、ユニット蓄電池３０２の電力収支がプラス（余剰）であり、かつ、共有蓄電池３１５がユニット３００の余剰電力を受け入れられる状態である。想定される状況としては、昼間（晴天）にユニット３００の消費電力が小さく、かつ、共有蓄電池３１５に空き容量がある場合や、或いは、ユニット３００の消費電力がゼロであり、かつ、共有蓄電池３１５に空き容量がある場合などが考えられる。
【００８４】
第１動作状態において、電力監視部３０３は、ユニット蓄電池３０２が電力余剰状態であると判定する。この判定結果を受けたユニット制御部３０１は、グループ制御部３１４に対して売電要求（ユニット３００の余剰電力をグループ側にＤＣ売電したい旨の要求）を出力する。この売電要求を受けたグループ制御部３１４は、ユニット制御部３０１に対して、ユニット３００のＤＣ売電を許可（有効）する旨の売電指示（図中では「○」と表記）を出力する。
【００８５】
なお、第１動作状態において、ユニット制御部３０１からグループ制御部３１４に対して買電要求（ユニット３００の不足電力をグループ側からのＤＣ買電によって補填したい旨の要求）が出力されることはないので、グループ制御部３１４は、ユニット制御部３０１に対して、ユニット３００のＤＣ買電を不許可（無効）とする旨の買電指示（図中では「×」と表記）を出力する。
【００８６】
このような第１動作状態において、ユニット制御部３０１は、スイッチａ１及びａ２、並びに、スイッチｂ１及びｂ３をいずれもオフとし、スイッチｂ２、ｂ４、及び、ｂ５をいずれもオンとする。このようなスイッチ制御により、ユニット蓄電池３０２からユニット負荷３１１〜３１３への電力供給が行われるとともに、ユニット蓄電池３０２から共有蓄電池３１５へのＤＣ売電が行われる。
【００８７】
従って、第１動作状態であれば、太陽光発電によって得られたＤＣ電力のみで、ユニット３００の消費電力を全て賄うことができる上、さらに、ユニット３００の余剰電力をグループ側にＤＣ売電して、その対価収入を得ることも可能となる。
【００８８】
第２動作状態は、ユニット蓄電池３０２の電力収支がプラス（余剰）であるが、共有蓄電池３１５がユニット３００の余剰電力を受け入れられない状態である。想定される状況としては、昼間（晴天）にユニット３００の消費電力が小さく、かつ、共有蓄電池３１５が満充電である場合や、或いは、ユニット３００の消費電力がゼロであり、かつ、共有蓄電池３１５が満充電である場合などが考えられる。
【００８９】
第２動作状態において、ユニット制御部３０１からグループ制御部３１４に対して売電要求が出力される点は、先述の第１動作状態と同様である。しかし、第２動作状態では、共有蓄電池３１５がユニット３００の余剰電力を受け入れられない状態であるため、上記の売電要求を受けたグループ制御部３１４は、ユニット制御部３０１に対して、ユニット３００のＤＣ売電を不許可（無効）とする旨の売電指示（図中では「×」と表記）を出力する。なお、先述の第１動作状態と同様、第２動作状態においても、ユニット制御部３０１からグループ制御部３１４に対して買電要求が出力されることはないので、グループ制御部３１４は、ユニット制御部３０１に対して、ユニット３００のＤＣ買電を不許可（無効）とする旨の買電指示（図中では「×」と表記）を出力する。
【００９０】
このような第２動作状態において、ユニット制御部３０１は、スイッチａ１及びａ２、並びに、スイッチｂ１、ｂ３、及び、ｂ５をいずれもオフとし、スイッチｂ２及びｂ４をいずれもオンとする。すなわち、第２動作状態では、先述の第１動作状態と異なり、スイッチｂ５がオフとされる。このようなスイッチ制御により、ユニット蓄電池３０２からユニット負荷３１１〜３１３への電力供給は行われるが、ユニット蓄電池３０２から共有蓄電池３１５へのＤＣ売電は停止される。
【００９１】
従って、第２動作状態であれば、ユニット３００の余剰電力をグループ側にＤＣ売電することはできないものの、太陽光発電によって得られたＤＣ電力のみで、ユニット３００の消費電力を全て賄うことが可能となる。
【００９２】
第３動作状態は、ユニット蓄電池３０２の電力収支がマイナス（不足）であるが、共有蓄電池３１５からユニット３００の不足電力を補填し得る状態である。想定される状況としては、昼間（曇り・雨）や夜間であって、かつ、共有蓄電池３１５に余剰電力がある場合や、或いは、ユニット３００の消費電力が大きく、かつ、共有蓄電池３１５に余剰電力がある場合などが考えられる。
【００９３】
第３動作状態において、電力監視部３０３は、ユニット蓄電池３０２が電力不足状態であると判定する。この判定結果を受けたユニット制御部３０１は、グループ制御部３１４に対して買電要求を出力する。この買電要求を受けたグループ制御部３１４は、ユニット制御部３０１に対して、ユニット３００のＤＣ買電を許可（有効）する旨の買電指示（図中では「○」と表記）を出力する。
【００９４】
なお、第３動作状態において、ユニット制御部３０１からグループ制御部３１４に対して売電要求が出力されることはないので、グループ制御部３１４は、ユニット制御部３０１に対して、ユニット３００のＤＣ売電を不許可（無効）とする旨の売電指示（図中では「×」と表記）を出力する。
【００９５】
このような第３動作状態において、ユニット制御部３０１は、スイッチａ１、並びに、スイッチｂ１、ｂ３、及び、ｂ５をいずれもオフとし、スイッチａ２、並びに、スイッチｂ２及びｂ４をいずれもオンとする。このようなスイッチ制御により、ユニット蓄電池３０２からユニット負荷３１１〜３１３への電力供給が行われるとともに、共有蓄電池３１５からユニット蓄電池３０２へのＤＣ買電が行われる。
【００９６】
従って、第３動作状態であれば、電力会社３１７からのＡＣ買電ではなく、より安価な共有蓄電池３１５からのＤＣ買電によって、ユニット蓄電池３０２の不足電力を補うことができるので、グループ内の共有ＤＣ電力を有効利用することが可能となる。ただし、先述の第１、第２動作状態とは異なり、第３動作状態では、共有蓄電池３１５からのＤＣ買電に伴う対価支出が生じる点に留意が必要である。
【００９７】
第４動作状態は、ユニット蓄電池３０２の電力収支がマイナス（不足）であり、かつ、共有蓄電池３１５からユニット３００の不足電力を補填し得ない状態である。想定される状況としては、昼間（曇り・雨）や夜間であって、かつ、共有蓄電池３１５に余剰電力がない場合や、或いは、ユニット３００の消費電力が大きく、かつ、共有蓄電池３１５に余剰電力がない場合などが考えられる。
【００９８】
第４動作状態において、ユニット制御部３０１からグループ制御部３１４に対して買電要求が出力される点は、先述の第３動作状態と同様である。しかし、第４動作状態では、共有蓄電池３１５からユニット３００の不足電力を補填し得ない状態であるため、上記の買電要求を受けたグループ制御部３１４は、ユニット制御部３０１に対して、ユニット３００のＤＣ買電を不許可（無効）とする旨の買電指示（図中では「×」と表記）を出力する。なお、先述の第３動作状態と同じく、第４動作状態においても、ユニット制御部３０１からグループ制御部３１４に対して売電要求が出力されることはないので、グループ制御部３１４は、ユニット制御部３０１に対して、ユニット３００のＤＣ売電を不許可（無効）とする旨の売電指示（図中では「×」と表記）を出力する。
【００９９】
このような第４動作状態において、ユニット制御部３０１は、スイッチａ２、並びに、スイッチｂ２、ｂ４、及び、ｂ５をいずれもオフとし、スイッチａ１、並びに、スイッチｂ１及びｂ３をいずれもオンとする。このようなスイッチ制御により、電力会社３１７からのＡＣ買電によって、ユニット負荷３１１〜３１３への電力供給が行われる。
【０１００】
従って、第４動作状態であれば、ユニット蓄電池３０２と共有蓄電池３１５の双方が電力不足状態に陥っても、電力会社３１７からのＡＣ買電を行うことにより、ユニット負荷３１１〜３１３を動作させるために必要な最低限の電力を確保することが可能となる。ただし、第４動作状態では、電力会社３１７からのＡＣ買電に伴う対価支出が生じるほか、ＡＣ／ＤＣ変換処理に伴う電力ロスが生じる点に留意が必要である。
【０１０１】
図１３は、ユニット制御部３０１の動作フローチャートである。
【０１０２】
ステップＳ２０１において、ユニット３００の消費電力が発電電力以下であるか否かの判定が行われる。ここで、消費電力が発電電力以下であると判定された場合には、ユニット蓄電池３０２が電力余剰状態であるとして、フローがステップＳ２０２に進められる。一方、消費電力が発電電力以下ではないと判定された場合には、ユニット蓄電池３０２が電力不足状態であるとして、フローがステップＳ２０６に進められる。
【０１０３】
ステップＳ２０１において、消費電力が発電電力以下であると判定された場合、ステップＳ２０２では、ユニット蓄電池３０２からユニット負荷３１１〜３１３への電力供給を行うべく、スイッチａ１及びａ２、並びに、スイッチｂ１〜ｂ５が適宜オン／オフ制御され、また、グループ制御部３１４に対しては、ユニット３００の余剰電力をグループ側にＤＣ売電したい旨の売電要求フラグが出力される。
【０１０４】
その後、ステップＳ２０３では、グループ制御部３１４から応答されてくる売電指示の内容確認が行われる。ここで、ユニット３００のＤＣ売電を許可する旨の売電指示が確認された場合には、フローがステップＳ２０４に進められる。一方、ユニット３００のＤＣ売電を不許可とする旨の売電指示が確認された場合には、フローがステップＳ２０５に進められる。
【０１０５】
ステップＳ２０３において、ユニット３００のＤＣ売電を許可する旨の売電指示が確認された場合、ステップＳ２０４では、共有蓄電池３１５へのＤＣ売電を行うべく、スイッチｂ５がオンとされる。この状態は、先述の第１動作状態に相当する。その後、フローはステップＳ２０１に戻される。
【０１０６】
一方、ステップＳ２０３において、ユニット３００のＤＣ売電を不許可とする旨の売電指示が確認された場合、ステップＳ２０５では、共有蓄電池３１５へのＤＣ売電を停止すべく、スイッチｂ５がオフとされる。この状態は、先述の第２動作状態に相当する。その後、フローはステップＳ２０１に戻される。
【０１０７】
また、ステップＳ２０１において、消費電力が発電電力以下でないと判定された場合、ステップＳ２０６では、グループ制御部３１４に対して、ユニット３００の不足電力をグループ側からのＤＣ買電で補填したい旨の買電要求フラグが出力される。
【０１０８】
その後、ステップＳ２０７では、グループ制御部３１４から応答されてくる買電指示の内容確認が行われる。ここで、ユニット３００のＤＣ買電を許可する旨の買電指示が確認された場合には、フローがステップＳ２０８に進められる。一方、ユニット３００のＤＣ買電を不許可とする旨の買電指示が確認された場合には、フローがステップＳ２０９に進められる。
【０１０９】
ステップＳ２０７において、ユニット３００のＤＣ買電を許可する旨の買電指示が確認された場合、ステップＳ２０８では、共有蓄電池３１５からのＤＣ買電を行うべく、スイッチａ２がオンとされる。この状態は、先述の第３動作状態に相当する。なお、第３動作状態では、ユニット蓄電池３０２を介して、共有蓄電池３１５からユニット負荷３１１〜３１３に電力供給が行われる。その後、フローはステップＳ２０１に戻される。
【０１１０】
一方、ステップＳ２０７において、ユニット３００のＤＣ買電を不許可とする旨の買電指示が確認された場合、ステップＳ２０９では、電力会社３１７からのＡＣ買電を行うべくスイッチａ１及びｂ３がオンとされる。この状態は、先述の第４動作状態に相当する。なお、第４動作状態では、電力会社３１７からユニット負荷３１１〜３１３に電力供給が行われる。その後、フローはステップＳ２０１に戻される。
【０１１１】
図１４は、グループの一構成例を示す模式図である。本構成例のグループ４００は、複数のユニット３００が属する最下位クラス（第１クラス）のグループであり、グループ４００には、グループ制御部４０１と、共有蓄電池４０２と、電力監視部４０３と、充電制御部４０４と、放電制御部４０５と、共有電力ライン４０６と、電力監視部４０７と、放電制御部４０８と、充電用のスイッチｃ１及びｃ２と、放電用のスイッチｄ１及びｄ２とが含まれている。また、グループ４００が属する上位クラス（第２クラス）のグループには、グループ制御部４０９と、共有蓄電池４１０と、放電制御部４１１と、共有電力ライン４１２が含まれている。なお、図１４は、グループ４００の構成要素に着目した図面であり、グループ外の構成要素（ユニット３００や上位グループの構成要素）については、その一部のみが描写されている。また、図１４では、最下位クラスのグループを例示して説明を行うが、より上位クラスのグループについても、その基本的な構成は同様である。
【０１１２】
グループ制御部４０１は、自グループの共有蓄電池４０２と上位グループの共有蓄電池４１０との間でＤＣ電力の充放電を行う際、上位クラスのグループ制御部４０９に充電要求または放電要求を出力し、グループ制御部４０９から応答された充電指示または放電指示の内容を確認する。
【０１１３】
また、グループ制御部４０１は、自グループの共有蓄電池４０２とユニット３００のユニット蓄電池３０２との間でＤＣ電力の充放電を行う際、ユニット制御部３０１からの買電要求または売電要求を受け取り、その応答として買電指示または売電指示をユニット制御部３０１に出力する。
【０１１４】
なお、グループ制御部４０１は、上位グループインターフェイス部４０１ａと、充放電制御部４０１ｂと、下位ユニット／グループ電力監視部４０１ｃと、下位ユニット／グループコントローラ４０１ｄと、を有する。上位グループインターフェイス部４０１ａは、上位クラスのグループ制御部４０９と相互に通信を行う。充放電制御部４０１ｂは、スイッチｃ１及びｃ２のオン／オフ制御、並びに、スイッチｄ１及びｄ２のオン／オフ制御を行う。下位ユニット／グループ電力監視部４０１ｃは、複数あるユニット３００毎の課金情報（ＤＣ電力の売買収支）を一元的に管理する。下位ユニット／グループコントローラ４０１ｄは、ユニット制御部３０１と相互に通信を行う。
【０１１５】
共有蓄電池４０２は、共有電力ライン４０６及び４１２に接続されており、ユニット蓄電池３０２との間、または、上位グループの共有蓄電池４１０との間でＤＣ電力の充放電を行う。すなわち、グループ４００の共有蓄電池４０２は、「ユニット蓄電池３０２（または、下位グループの共有蓄電池）からのＤＣ充電」と「上位グループの共有蓄電池４１０からのＤＣ充電」によって充電される。また、グループ４００の共有蓄電池４０２は、「ユニット蓄電池３０２（または、下位グループの共有蓄電池）へのＤＣ放電」と「上位グループの共有蓄電池４１０へのＤＣ放電」によって放電される。
【０１１６】
電力監視部４０３は、共有蓄電池４０２の充電電力と放電電力とを比較して、共有蓄電池４０２の電力監視を行う。すなわち、充電電力が放電電力よりも大きければ、共有蓄電池４０２が電力余剰状態（共有蓄電池４０２の電力収支がプラス（余剰）の状態）であると判定される。逆に、充電電力が放電電力よりも小さければ、共有蓄電池４０２が電力不足状態（共有蓄電池４０２の電力収支がマイナス（不足）の状態）であると判定される。また、電力監視部４０３は、共有蓄電池４０２の満充電判定も合わせて行う。
【０１１７】
充電制御部４０４は、共有電力ライン４０６ないし４１２から供給されるＤＣ電力を共有蓄電池４０２の充電に適したレベルに変換する。
【０１１８】
放電制御部４０５は、共有蓄電池４０２から放電されるＤＣ電力を共有電力ライン４０６への供給に適したレベルに変換する。
【０１１９】
共有電力ライン４０６は、ユニット蓄電池３０２と共有蓄電池４０２との間でＤＣ電力を充放電するための経路である。
【０１２０】
電力監視部４０７は、ユニット３００と共有電力ライン４０６との間でやりとりされたＤＣ電力の電力量を所定期間（例えば１ヶ月）毎に積算することで、ユニット３００に対する課金情報（ＤＣ電力の売買収支）を取得するための電力メータである。
【０１２１】
放電制御部４０８は、ユニット蓄電池３０２から放電されるＤＣ電力を共有電力ライン４０６への供給に適したレベルに変換する。
【０１２２】
スイッチｃ１は、グループ制御部４０１によってオン／オフ制御され、共有電力ライン４１２から共有蓄電池４０２への充電経路を導通／遮断する。スイッチｃ２は、グループ制御部４０１によってオン／オフ制御され、共有電力ライン４０６から共有蓄電池４０２への充電経路を導通／遮断する。
【０１２３】
スイッチｄ１は、グループ制御部４０１によってオン／オフ制御され、共有蓄電池４０２から共有電力ライン４１２への放電経路を導通／遮断する。スイッチｄ２は、グループ制御部４０１によってオン／オフ制御され、共有蓄電池４０２から共有電力ライン４０６への放電経路を導通／遮断する。
【０１２４】
グループ制御部４０９は、共有蓄電池４０２と共有蓄電池４１０との間でＤＣ電力の充放電を行う際、グループ制御部４０１からの充電要求または放電要求を受け取り、グループ制御部４０１への応答として、充電指示または放電指示を出力する。
【０１２５】
共有蓄電池４１０は、共有電力ライン４１２に接続されており、共有蓄電池４０２との間でＤＣ電力の充放電を行う。
【０１２６】
放電制御部４１１は、共有蓄電池４０２から放電されるＤＣ電力を共有電力ライン４１２への供給に適したレベルに変換する。
【０１２７】
共有電力ライン４１２は、共有蓄電池４０２と共有蓄電池４１０との間でＤＣ電力を充放電するための経路である。
【０１２８】
図１５は、グループ制御部４０１の上位グループに対する動作一覧表であり、左から順に、動作状態毎に付した番号、電力監視部４０３の電力監視結果、グループ制御部４０１から出力される充電要求／放電要求の有無、グループ制御部４０９から出力される充電指示／放電指示の内容、充電用のスイッチｃ１及びｃ２のオン／オフ状態、及び、放電用のスイッチｄ１及びｄ２のオン／オフ状態が示されている。
【０１２９】
第１動作状態は、自グループの共有蓄電池４０２の電力収支がプラス（余剰）であり、かつ、上位グループの共有蓄電池４１０が自グループ４００の余剰電力を受け入れられる状態である。
【０１３０】
第１動作状態において、電力監視部４０３は、共有蓄電池４０２が電力余剰状態であると判定する。この判定結果を受けたグループ制御部４０１は、上位のグループ制御部４０９に対して放電要求（グループ４００の余剰電力を上位グループ側にＤＣ放電したい旨の要求）を出力する。この放電要求を受けた上位のグループ制御部４０９は、グループ制御部４０１に対して、グループ４００のＤＣ放電を許可（有効）する旨の放電指示（図中では「○」と表記）を出力する。
【０１３１】
なお、第１動作状態において、グループ制御部４０１から上位のグループ制御部４０９に対して充電要求（グループ４００の不足電力を上位グループ側からのＤＣ充電によって補填したい旨の要求）が出力されることはないので、上位のグループ制御部４０９は、グループ制御部４０１に対して、グループ４００のＤＣ充電を不許可（無効）とする旨の充電指示（図中では「×」と表記）を出力する。
【０１３２】
このような第１動作状態において、グループ制御部４０１はスイッチｃ１をオフとし、スイッチｄ１をオンとする。このようなスイッチ制御により、自グループの共有蓄電池４０２から上位グループの共有蓄電池４１０へのＤＣ放電が行われる。
【０１３３】
第２動作状態は、自グループの共有蓄電池４０２の電力収支がプラス（余剰）であり、上位グループの共有蓄電池４１０が自グループ４００の余剰電力を受け入れられない状態である。
【０１３４】
第２動作状態において、グループ制御部４０１から上位のグループ制御部４０９に対して放電要求が出力される点は、先述の第１動作状態と同様である。しかし、第２動作状態では、上位グループの共有蓄電池４１０が自グループ４００の余剰電力を受け入れられない状態であるため、上記の放電要求を受けた上位のグループ制御部４０９は、グループ制御部４０１に対して、自グループ４００のＤＣ放電を不許可（無効）とする旨の放電指示（図中では「×」と表記）を出力する。なお、先述の第１動作状態と同様、第２動作状態においても、グループ制御部４０１から上位のグループ制御部４０９に対して充電要求が出力されることはないので、上位のグループ制御部４０９は、グループ制御部４０１に対して、グループ４００のＤＣ充電を不許可（無効）とする旨の充電指示（図中では「×」と表記）を出力する。
【０１３５】
このような第２動作状態において、グループ制御部４０１は、スイッチｃ１及びｄ１をいずれもオフとする。すなわち、第２動作状態では、先述の第１動作状態と異なり、スイッチｄ１がオフとされる。このようなスイッチ制御により、自グループの共有蓄電池４０２から上位グループの共有蓄電池４１０へのＤＣ放電は停止される。
【０１３６】
第３動作状態は、自グループの共有蓄電池４０２の電力収支がマイナス（不足）であるが、上位グループの共有蓄電池４１０から自グループ４００の不足電力を補填し得る状態である。
【０１３７】
第３動作状態において、電力監視部４０３は、共有蓄電池４０２が電力不足状態であると判定する。この判定結果を受けたグループ制御部４０１は、上位のグループ制御部４０９に対して充電要求を出力する。この充電要求を受けた上位のグループ制御部４０９は、グループ制御部４０１に対して、グループ４００のＤＣ充電を許可（有効）する旨の充電指示（図中では「○」と表記）を出力する。
【０１３８】
なお、第３動作状態において、グループ制御部４０１から上位のグループ制御部４０９に対して放電要求が出力されることはないので、上位のグループ制御部４０９は、グループ制御部４０１に対して、グループ４００のＤＣ放電を不許可（無効）とする旨の放電指示（図中では「×」と表記）を出力する。
【０１３９】
このような第３動作状態において、グループ制御部４０１はスイッチｃ１をオンとし、スイッチｄ１をオフとする。このようなスイッチ制御により、上位グループの共有蓄電池４１０から自グループ４００の共有蓄電池４０２へのＤＣ充電が行われる。
【０１４０】
第４動作状態は、自グループの共有蓄電池４０２の電力収支がマイナス（不足）であって、かつ、上位グループの共有蓄電池４１０から自グループ４００の不足電力を補填し得ない状態である。
【０１４１】
第４動作状態において、グループ制御部４０１から上位のグループ制御部４０９に対して充電要求が出力される点は、先述の第３動作状態と同様である。しかし、第４動作状態では、上位グループの共有蓄電池４１０から自グループ４００の不足電力を補填し得ない状態であるため、上記の充電要求を受けた上位のグループ制御部４０９は、グループ制御部４０１に対して、グループ４００のＤＣ充電を不許可（無効）とする旨の充電指示（図中では「×」と表記）を出力する。なお、先述の第３動作状態と同じく、第４動作状態においても、グループ制御部４０１から上位のグループ制御部４０９に対して放電要求が出力されることはないので、上位のグループ制御部４０９は、グループ制御部４０１に対して、グループ４００のＤＣ放電を不許可（無効）とする旨の放電指示（図中では「×」と表記）を出力する。
【０１４２】
このような第４動作状態において、グループ制御部４０１は、スイッチｃ１及びｃ２をいずれもオフとする。すなわち、第４動作状態では、先述の第３動作状態と異なり、スイッチｃ１がオフとされる。このようなスイッチ制御により、上位グループの共有蓄電池４１０から自グループの共有蓄電池４０２へのＤＣ充電は停止される。
【０１４３】
図１６は、グループ制御部４０１の上位グループに対する動作フローチャートである。
【０１４４】
ステップＳ３０１において、共有蓄電池４０２の放電電力が充電電力以下であるか否かの判定が行われる。ここで、放電電力が充電電力以下であると判定された場合には、共有蓄電池４０２が電力余剰状態であるとして、フローがステップＳ３０２に進められる。一方、放電電力が充電電力以下ではないと判定された場合には、共有蓄電池４０２が電力不足状態であるとして、フローがステップＳ３０６に進められる。
【０１４５】
ステップＳ３０１において、放電電力が充電電力以下であると判定された場合、ステップＳ３０２では、上位のグループ制御部４０９に対して、自グループ４００の余剰電力を上位グループ側にＤＣ放電したい旨の放電要求フラグが出力される。
【０１４６】
その後、ステップＳ３０３では、上位のグループ制御部４０９から応答されてくる放電指示の内容確認が行われる。ここで、自グループ４００のＤＣ放電を許可する旨の放電指示が確認された場合には、フローがステップＳ３０４に進められる。一方、自グループ４００のＤＣ放電を不許可とする旨の放電指示が確認された場合には、フローがステップＳ３０５に進められる。
【０１４７】
ステップＳ３０３において、自グループ４００のＤＣ放電を許可する旨の放電指示が確認された場合、ステップＳ３０４では、上位グループの共有蓄電池４１０へのＤＣ放電を行うべく、スイッチｄ１がオンとされる。この状態は、先述の第１動作状態に相当する。その後、フローはステップＳ３０１に戻される。
【０１４８】
一方、ステップＳ３０３において、自グループ４００のＤＣ放電を不許可とする旨の放電指示が確認された場合、ステップＳ３０５では、上位グループの共有蓄電池４１０へのＤＣ放電を停止すべく、スイッチｄ１がオフとされる。この状態は、先述の第２動作状態に相当する。その後、フローはステップＳ３０１に戻される。
【０１４９】
また、ステップＳ３０１において、放電電力が充電電力以下でないと判定された場合、ステップＳ３０６では、上位のグループ制御部４０９に対して、自グループ４００の不足電力を上位グループ側からのＤＣ充電で補填したい旨の充電要求フラグが出力される。
【０１５０】
その後、ステップＳ３０７では、上位のグループ制御部４０９から応答されてくる充電指示の内容確認が行われる。ここで、自グループ４００のＤＣ充電を許可する旨の充電指示が確認された場合には、フローがステップＳ３０８に進められる。一方、自グループ４００のＤＣ充電を不許可とする旨の充電指示が確認された場合には、フローがステップＳ３０９に進められる。
【０１５１】
ステップＳ３０７において、自グループ４００のＤＣ充電を許可する旨の充電指示が確認された場合、ステップＳ３０８では、上位グループの共有蓄電池４１０からＤＣ充電を行うべく、スイッチｃ１がオンとされる。この状態は、先述の第３動作状態に相当する。その後、フローはステップＳ３０１に戻される。
【０１５２】
一方、ステップＳ３０７において、自グループ４００のＤＣ充電を不許可とする旨の充電指示が確認された場合、ステップＳ３０９では、上位グループの共有蓄電池４１０からのＤＣ充電を停止すべく、スイッチｃ１がオフとされる。この状態は、先述の第４動作状態に相当する。その後、フローはステップＳ３０１に戻される。
【０１５３】
図１７は、グループ制御部４０１の下位グループ（下位ユニット３００）に対する動作一覧表であり、左から順番に、動作状態毎に付した番号、電力監視部４０３の電力監視結果、下位のグループ制御部（ユニット制御部３００）から出力される充電要求／放電要求（買電要求／売電要求）の有無、グループ制御部４０１から出力される充電指示／放電指示（買電指示／売電指示）の内容、充電用のスイッチｃ１及びｃ２のオン／オフ状態、及び、放電用のスイッチｄ１及びｄ２のオン／オフ状態が示されている。
【０１５４】
第１動作状態は、共有蓄電池４０２の電力収支がプラス（余剰）であるものの、満充電には至っていないときに、下位に接続された複数のユニット制御部３０１からいずれも放電要求が出力された状態である。この場合、グループ制御部４０１は、全てのユニット制御部３０１に対して、ユニット３００のＤＣ放電を許可（有効）する旨の放電指示（図中では「○」と表記）を出力する。
【０１５５】
なお、第１動作状態では、いずれのユニット制御部３０１も充電要求を出力していないので、グループ制御部４０１は、全てのユニット制御部３０１に対して、ユニット３００のＤＣ充電を不許可（無効）とする旨の充電指示（図中では「×」と表記）を出力する。
【０１５６】
このような第１動作状態において、グループ制御部４０１はスイッチｃ２をオンとし、スイッチｄ２をオフとする。このようなスイッチ制御により、ユニット蓄電池３０２から放電されたＤＣ電力によって共有蓄電池４０２が充電される。
【０１５７】
第２動作状態は、共有蓄電池４０２の電力収支がプラス（余剰）であるものの、満充電には至っていないときに、下位に接続された複数のユニット制御部３０１からいずれも充電要求が出力された状態である。この場合、グループ制御部４０１は、全てのユニット制御部３０１に対して、ユニット３００のＤＣ充電を許可（有効）する旨の充電指示（図中では「○」と表記）を出力する。
【０１５８】
なお、第２動作状態では、いずれのユニット制御部３０１も放電要求を出力していないので、グループ制御部４０１は、全てのユニット制御部３０１に対して、ユニット３００のＤＣ放電を不許可（無効）とする旨の放電指示（図中では「×」と表記）を出力する。
【０１５９】
このような第２動作状態において、グループ制御部４０１はスイッチｃ２をオフとし、スイッチｄ２をオンとする。このようなスイッチ制御により、共有蓄電池４０２から放電されたＤＣ電力によってユニット蓄電池３０２が充電される。
【０１６０】
第３動作状態は、共有蓄電池４０２の電力収支がプラス（余剰）であるものの、満充電には至っていないときに、下位に接続された複数のユニット制御部３０１の一部から放電要求が出力され、別の一部から充電要求が出力された状態である。この場合、グループ制御部４０１は、放電要求を出力したユニット制御部３０１に対して、ユニット３００のＤＣ放電を許可（有効）する旨の放電指示（図中では「○」と表記）を出力し、充電要求を出力したユニット制御部３０１に対して、ユニット３００のＤＣ充電を許可（有効）する旨の充電指示（図中では「○」と表記）を出力する。
【０１６１】
このような第３動作状態において、グループ制御部４０１はスイッチｃ２及びｄ２をいずれもオンとする。このようなスイッチ制御により、共有蓄電池４０２と電力余剰状態のユニット蓄電池３０２との間では、ユニット蓄電池３０２から放電されたＤＣ電力によって共有蓄電池４０２が充電される状態となり、また、共有蓄電池４０２と電力不足状態のユニット蓄電池３０２との間では、共有蓄電池４０２から放電されたＤＣ電力によってユニット蓄電池３０２が充電される状態となる。
【０１６２】
第４動作状態は、共有蓄電池４０２が満充電であるときに、下位に接続された複数のユニット制御部３０１からいずれも放電要求が出力された状態である。この場合、グループ制御部４０１は、全てのユニット制御部３０１に対して、ユニット３００のＤＣ放電を不許可（無効）とする旨の放電指示（図中では「×」と表記）を出力する。
【０１６３】
なお、第４動作状態では、いずれのユニット制御部３０１も充電要求を出力していないので、グループ制御部４０１は、全てのユニット制御部３０１に対して、ユニット３００のＤＣ充電を不許可（無効）とする旨の充電指示（図中では「×」と表記）を出力する。
【０１６４】
このような第４動作状態において、グループ制御部４０１はスイッチｃ２及びｄ２をいずれもオフとする。このようなスイッチ制御により、ユニット蓄電池３０２のＤＣ放電は停止される。
【０１６５】
第５動作状態は、共有蓄電池４０２満充電であるときに、下位に接続された複数のユニット制御部３０１からいずれも充電要求が出力された状態である。この場合、グループ制御部４０１は、全てのユニット制御部３０１に対して、ユニット３００のＤＣ充電を許可（有効）する旨の充電指示（図中では「○」と表記）を出力する。
【０１６６】
なお、第５動作状態では、いずれのユニット制御部３０１も放電要求を出力していないので、グループ制御部４０１は、全てのユニット制御部３０１に対して、ユニット３００のＤＣ放電を不許可（無効）とする旨の放電指示（図中では「×」と表記）を出力する。
【０１６７】
このような第５動作状態において、グループ制御部４０１はスイッチｃ２をオフとし、スイッチｄ２をオンとする。このようなスイッチ制御により、共有蓄電池４０２から放電されたＤＣ電力によってユニット蓄電池３０２が充電される。
【０１６８】
第６動作状態は、共有蓄電池４０２が満充電であるときに、下位に接続された複数のユニット制御部３０１の一部から放電要求が出力され、別の一部から充電要求が出力された状態である。この場合、グループ制御部４０１は、放電要求を出力したユニット制御部３０１に対して、ユニット３００のＤＣ放電を不許可（無効）する旨の放電指示（図中では「×」と表記）を出力し、充電要求を出力したユニット制御部３０１に対してユニット３００のＤＣ充電を許可（有効）する旨の充電指示（図中では「○」と表記）を出力する。
【０１６９】
このような第６動作状態において、グループ制御部４０１はスイッチｃ２をオフとし、スイッチｄ２をオンとする。このようなスイッチ制御により、共有蓄電池４０２と電力余剰状態のユニット蓄電池３０２との間では、ユニット蓄電池３０２のＤＣ放電が停止された状態となり、また、共有蓄電池４０２と電力不足状態のユニット蓄電池３０２との間では、共有蓄電池４０２から放電されたＤＣ電力によってユニット蓄電池３０２が充電される状態となる。
【０１７０】
第７動作状態は、共有蓄電池４０２の電力収支がマイナス（不足）であり、満充電には至っていないときに、下位に接続された複数のユニット制御部３０１からいずれも放電要求が出力された状態である。この場合、グループ制御部４０１は、全てのユニット制御部３０１に対して、ユニット３００のＤＣ放電を許可（有効）する旨の放電指示（図中では「○」と表記）を出力する。
【０１７１】
なお、第７動作状態では、いずれのユニット制御部３０１も充電要求を出力していないので、グループ制御部４０１は、全てのユニット制御部３０１に対して、ユニット３００のＤＣ充電を不許可（無効）とする旨の充電指示（図中では「×」と表記）を出力する。
【０１７２】
このような第７動作状態において、グループ制御部４０１はスイッチｃ２をオンとし、スイッチｄ２をオフとする。このようなスイッチ制御により、ユニット蓄電池３０２から放電されたＤＣ電力によって共有蓄電池４０２が充電される。
【０１７３】
第８動作状態は、共有蓄電池４０２の電力収支がマイナス（不足）であり、満充電には至っていないときに、下位に接続された複数のユニット制御部３０１からいずれも充電要求が出力された状態である。この場合、グループ制御部４０１は、全てのユニット制御部３０１に対して、ユニット３００のＤＣ充電を不許可（無効）とする旨の充電指示（図中では「×」と表記）を出力する。
【０１７４】
なお、第８動作状態では、いずれのユニット制御部３０１も放電要求を出力していないので、グループ制御部４０１は、全てのユニット制御部３０１に対して、ユニット３００のＤＣ放電を不許可（無効）とする旨の放電指示（図中では「×」と表記）を出力する。
【０１７５】
このような第８動作状態において、グループ制御部４０１はスイッチｃ２及びｄ２をいずれもオフとする。このようなスイッチ制御により、ユニット蓄電池３０２のＤＣ充電は停止される。
【０１７６】
第９動作状態は、共有蓄電池４０２の電力収支がマイナス（余剰）であり、満充電には至っていないときに、下位に接続された複数のユニット制御部３０１の一部から放電要求が出力され、別の一部から充電要求が出力された状態である。この場合、グループ制御部４０１は、放電要求を出力したユニット制御部３０１に対して、ユニット３００のＤＣ放電を許可（有効）する旨の放電指示（図中では「○」と表記）を出力し、充電要求を出力したユニット制御部３０１に対して、ユニット３００のＤＣ充電を不許可（無効）する旨の充電指示（図中では「×」と表記）を出力する。
【０１７７】
このような第９動作状態において、グループ制御部４０１はスイッチｃ２をオンとし、スイッチｄ２をオフとする。このようなスイッチ制御により、共有蓄電池４０２と電力余剰状態のユニット蓄電池３０２との間では、ユニット蓄電池３０２から放電されたＤＣ電力によって共有蓄電池４０２が充電される状態となり、また、共有蓄電池４０２と電力不足状態のユニット蓄電池３０２との間では、ユニット蓄電池３０２のＤＣ充電が停止された状態となる。
【０１７８】
図１８は、グループ制御部４０１の下位グループ（下位ユニット）に対する動作フローチャートである。
【０１７９】
ステップＳ４０１において、共有蓄電池４０２の放電電力が充電電力以下であるか否かの判定が行われる。ここで、放電電力が充電電力以下であると判定された場合には、共有蓄電池４０２が電力余剰状態であるとして、フローがステップＳ４０２に進められる。一方、放電電力が充電電力以下ではないと判定された場合には、共有蓄電池４０２が電力不足状態であるとして、フローがステップＳ４１０に進められる。
【０１８０】
ステップＳ４０１において、放電電力が充電電力以下であると判定された場合、ステップＳ４０２では、共有蓄電池４０２が満充電でないか否かの判定が行われる。ここで、共有蓄電池４０２が満充電でないと判定された場合には、共有蓄電池４０２に空き容量があるとして、フローがステップＳ４０３に進められる。一方、共有蓄電池４０２が満充電であると判定された場合には、共有蓄電池４０２に空き容量がないとして、フローがステップＳ４０９に進められる。
【０１８１】
ステップＳ４０２において、共有蓄電池４０２が満充電でないと判定された場合、ステップＳ４０３では、ユニット制御部３０１からユニット３００の余剰電力をグループ４００に放電（売電）したい旨の放電要求（売電要求）があるか否かの確認が行われる。ここで、ユニット制御部３０１から放電要求があると判定された場合には、フローがステップＳ４０４に進められる。一方、ユニット制御部３０１から放電要求がないと判定された場合には、フローがステップＳ４０７に進められる。
【０１８２】
ステップＳ４０３において、ユニット制御部３０１から放電要求があると判定された場合、ステップＳ４０４では、ユニット制御部３０１に応答する放電指示の内容として、ユニット３００のＤＣ放電を許可する旨のフラグが出力される。この状態は、先述の第１動作状態、または、第３動作状態に相当する。
【０１８３】
一方、ステップＳ４０３において、ユニット制御部３０１から放電要求がないと判定された場合、ステップＳ４０７では、ユニット制御部３０１に応答する放電指示の内容として、ユニット３００のＤＣ放電を許可する旨のフラグが停止される。言い換えれば、ユニット制御部３０１に応答する放電指示の内容として、ユニット３００のＤＣ放電を不許可とする旨のフラグが出力される。この状態は、先述の第２動作状態に相当する。
【０１８４】
また、ステップＳ４０２において共有蓄電池４０２が満充電であると判定された場合、ステップＳ４０９では、ユニット制御部３０１に応答する放電指示の内容として、ユニット３００のＤＣ放電を許可する旨のフラグが停止される。言い換えれば、ユニット制御部３０１に応答する放電指示の内容として、ユニット３００のＤＣ放電を不許可とする旨のフラグが出力される。この状態は、先述の第４動作状態、第５動作状態、または、第６動作状態に相当する。
【０１８５】
ステップＳ４０４、Ｓ４０７、及び、Ｓ４０９のいずれかを経た後、ステップＳ４０５では、ユニット制御部３０１からユニット３００の不足電力をグループ４００からの充電（買電）によって補填したい旨の充電要求（買電要求）があるか否かの確認が行われる。ここで、ユニット制御部３０１から充電要求があると判定された場合には、フローがステップＳ４０６に進められる。一方、ユニット制御部３０１から充電要求がないと判定された場合には、フローがステップＳ４０８に進められる。
【０１８６】
ステップＳ４０５において、ユニット制御部３０１から充電要求があると判定された場合、ステップＳ４０６では、ユニット制御部３０１に応答する充電指示の内容として、ユニット３００のＤＣ充電を許可する旨のフラグが出力される。この状態は、先述の第２動作状態、第３動作状態、第５動作状態、または、第６動作状態に相当する。その後、フローはステップＳ４０１に戻される。
【０１８７】
一方、ステップＳ４０５において、ユニット制御部３０１から充電要求がないと判定された場合、ステップＳ４０８では、ユニット制御部３０１に応答する充電指示の内容として、ユニット３００のＤＣ充電を許可する旨のフラグが停止される。言い換えれば、ユニット制御部３０１に応答する充電指示の内容として、ユニット３００のＤＣ充電を不許可とする旨のフラグが出力される。この状態は、先述の第１動作状態、または、第４動作状態に相当する。その後、フローはステップＳ４０１に戻される。
【０１８８】
また、ステップＳ４０１において、放電電力が充電電力以下でないと判定された場合、ステップＳ４１０では、ユニット制御部３０１からユニット３００の余剰電力をグループ４００に放電（売電）したい旨の放電要求（売電要求）があるか否かの確認が行われる。ここで、ユニット制御部３０１から放電要求があると判定された場合には、フローがステップＳ４１１に進められる。一方、ユニット制御部３０１から放電要求がないと判定された場合には、フローがステップＳ４１３に進められる。
【０１８９】
ステップＳ４１０において、ユニット制御部３０１から放電要求があると判定された場合、ステップＳ４１１では、ユニット制御部３０１に応答する放電指示の内容として、ユニット３００のＤＣ放電を許可する旨のフラグが出力される。この状態は、先述の第７動作状態、または、第９動作状態に相当する。
【０１９０】
一方、ステップＳ４１０において、ユニット制御部３０１から放電要求がないと判定された場合、ステップＳ４１３では、ユニット制御部３０１に応答する放電指示の内容として、ユニット３００のＤＣ放電を許可する旨のフラグが停止される。言い換えれば、ユニット制御部３０１に応答する放電指示の内容として、ユニット３００のＤＣ放電を不許可とする旨のフラグが出力される。この状態は、先述の第８動作状態に相当する。
【０１９１】
ステップＳ４１１、及び、Ｓ４１３のいずれかを経た後、ステップＳ４１２では、ユニット制御部３０１からユニット３００の不足電力をグループ４００からの充電（買電）によって補填したい旨の充電要求（買電要求）があるか否かに依ることなく、ユニット制御部３０１に応答する充電指示の内容として、ユニット３００のＤＣ充電を許可する旨のフラグが停止される。言い換えれば、ユニット制御部３０１に応答する充電指示の内容として、ユニット３００のＤＣ充電を不許可とする旨のフラグが出力される。この状態は、先述の第７動作状態、第８動作状態、または、第９動作状態に相当する。その後、フローはステップＳ４０１に戻される。
【０１９２】
図１９は、共有電力ラインの充放電制御を説明するための模式図である。共有電力ライン５００から共有蓄電池５０１及び５０２への各充電経路上には、それぞれ、充電制御部５０５及び５０６が設けられている。共有蓄電池５０１及び５０２から共有電力ライン５００への各放電経路上には、それぞれ、放電制御部５０７及び５０８が設けられている。共有電力ライン５００と充電制御部５０５及び５０６との間には、それぞれ、充電制御用のスイッチ５０９及び５１０が設けられている。共有蓄電池５０１及び５０２と放電制御部５０７及び５０８との間には、それぞれ、放電制御用のスイッチ５１１及び５１２が設けられている。
【０１９３】
充電制御部５０５は、昇降圧ＤＣ／ＤＣコンバータ５０５ａと、定電流ドライバ５０５ｂと、を有しており、共有電力ライン５００から共有蓄電池５０１への充電時には、共有電力ライン５００から供給されるＤＣ電力を共有蓄電池５０１の充電に適したレベルに変換する。例えば、共有蓄電池５０１の最適充電電圧が３０Ｖである場合には、昇降圧ＤＣ／ＤＣコンバータ５０５ａの目標出力電圧を３１Ｖ程度（共有蓄電池５０１の最適充電電圧３０Ｖ＋定電流ドライバ５０５ｂの駆動電圧１Ｖ）に設定しておけばよい。このような設定を行うことにより、例えば、共有電力ライン５００からの入力電圧Ｖｉｎが１００Ｖである場合、昇降圧ＤＣ／ＤＣコンバータ５０５ａは、１００Ｖの入力電圧Ｖｉｎを降圧して３１Ｖの出力電圧Ｖｏｕｔを生成し、この出力電圧Ｖｏｕｔを共有蓄電池５０１に出力する。なお、定電流ドライバ５０５ｂの働きにより、共有蓄電池５０１への充電電流Ｉｃは、所定値に維持される。
【０１９４】
充電制御部５０６は、昇降圧ＤＣ／ＤＣコンバータ５０６ａと、定電流ドライバ５０６ｂと、を有しており、共有電力ライン５００から共有蓄電池５０２への充電時には、共有電力ライン５００から供給されるＤＣ電力を共有蓄電池５０２の充電に適したレベルに変換する。例えば、共有蓄電池５０２の最適充電電圧が１５０Ｖである場合には、昇降圧ＤＣ／ＤＣコンバータ５０６ａの目標出力電圧を１５１Ｖ程度（共有蓄電池５０２の最適充電電圧１５０Ｖ＋定電流ドライバ５０６ｂの駆動電圧１Ｖ）に設定しておけばよい。このような設定を行うことにより、例えば、共有電力ライン５００からの入力電圧Ｖｉｎが１００Ｖである場合、昇降圧ＤＣ／ＤＣコンバータ５０６ａは、１００Ｖの入力電圧Ｖｉｎを昇圧して１５１Ｖの出力電圧Ｖｏｕｔを生成し、この出力電圧Ｖｏｕｔを共有蓄電池５０２に出力する。なお、定電流ドライバ５０６ｂの働きにより、共有蓄電池５０２への充電電流Ｉｃは、所定値に維持される。
【０１９５】
放電制御部５０７は、昇降圧ＤＣ／ＤＣコンバータ５０７ａと、放電電流Ｉｄ検出用の抵抗５０７ｂと、逆流防止用のダイオード５０７ｃと、を有しており、共有蓄電池５０１から共有電力ライン５００への放電時には、共有蓄電池５０１から放電されるＤＣ電力を共有電力ライン５００への供給に適したレベルに変換する。例えば、共有電力ライン５００の印加電圧が１００Ｖである場合、昇降圧ＤＣ／ＤＣコンバータ５０７ａの目標出力電圧は１０１Ｖ程度（放電電流Ｉｄを流して、共有電力ライン５００への放電を行うことが可能な必要最低限の電圧レベル）に設定しておけばよい。このような設定とすることにより、例えば、共有蓄電池５０１からの入力電圧Ｖｉｎが３０Ｖである場合、昇降圧ＤＣ／ＤＣコンバータ５０７ａは、３０Ｖの入力電圧Ｖｉｎを昇圧して１０１Ｖの出力電圧Ｖｏｕｔを生成し、この出力電圧Ｖｏｕｔを共有電力ライン５００に出力する。
【０１９６】
放電制御部５０８は、昇降圧ＤＣ／ＤＣコンバータ５０８ａと、放電電流Ｉｄ検出用の抵抗５０８ｂと、逆流防止用のダイオード５０８ｃと、を有しており、共有蓄電池５０２から共有電力ライン５００への放電時には、共有蓄電池５０２から放電されるＤＣ電力を共有電力ライン５００への供給に適したレベルに変換する。例えば、共有電力ライン５００の印加電圧が１００Ｖである場合、昇降圧ＤＣ／ＤＣコンバータ５０８ａの目標出力電圧は１０１Ｖ程度（放電電流Ｉｄを流して、共有電力ライン５００への放電を行うことが可能な必要最低限の電圧レベル）に設定しておけばよい。このような設定とすることにより、例えば、共有蓄電池５０２からの入力電圧Ｖｉｎが１５０Ｖである場合、昇降圧ＤＣ／ＤＣコンバータ５０８ａは、１５０Ｖの入力電圧Ｖｉｎを降圧して１０１Ｖの出力電圧Ｖｏｕｔを生成し、この出力電圧Ｖｏｕｔを共有電力ライン５００に出力する。
【０１９７】
なお、充電制御部５０５及び５０６、並びに、放電制御部５０７及び５０８は、常時動作をさせておく構成としてもよいが、不要な消費電力を低減するためには、充電制御用のスイッチ５０９及び５１０、並びに、放電制御用のスイッチ５１１及び５１２のオン／オフに応じて、充電制御部５０５及び５０６、並びに、放電制御部５０７及び５０８の動作状態もオン／オフしてやることが望ましい。
【０１９８】
その場合、充電制御部５０５及び５０６の各動作状態をオン／オフするためのイネーブル信号としては、スイッチ５０９及び５１０のオン／オフ制御信号を流用してもよいし、上位クラスのグループ制御部（ルート制御部を含む）と下位クラスのグループ制御部（ユニット制御部を含む）との間でやり取りされる充電指示や買電指示を流用してもよい。
【０１９９】
また、放電制御部５０７及び５０８の各動作状態をオン／オフするためのイネーブル信号としては、スイッチ５１１及び５１２のオン／オフ制御信号を流用してもよいし、上位クラスのグループ制御部（ルート制御部を含む）と下位クラスのグループ制御部（ユニット制御部を含む）との間でやり取りされる放電指示や売電指示を流用してもよい。
【０２００】
図２０は、ルートの一構成例を示す模式図である。本構成例のルート６００には、最上位クラス（図１０では第Ｎクラス）のグループ４００が複数属しており、ルート６００には、ルート制御部６０１と、共有蓄電池６０２と、電力監視部６０３と、充電制御部６０４と、放電制御部６０５と、共有電力ライン６０６と、電力監視部６０７と、放電制御部６０８と、ＡＣ／ＤＣコンバータ６０９と、ＤＣ／ＡＣコンバータ６１０と、電力監視部６１１と、充電用のスイッチｅ１及びｅ２と、放電用のスイッチｆ１及びｆ２とが含まれている。なお、図２０は、ルート６００の構成要素に着目した図面であり、ルート外の構成要素（グループ４００の構成要素）については、その一部のみが描写されている。
【０２０１】
ルート制御部６０１は、ルート６００の共有蓄電池６０２とグループ４００の共有蓄電池４０２との間でＤＣ電力の充放電を行う際、グループ制御部４０１からの充電要求または放電要求を受け取り、その応答として充電指示または放電指示をグループ制御部４０１に出力する。
【０２０２】
なお、ルート制御部６０１は、電力会社インターフェイス部６０１ａと、充放電制御部６０１ｂと、下位グループ電力監視部６０１ｃと、下位グループコントローラ６０１ｄとを有する。電力会社インターフェイス部６０１ａは、電力監視部６１１の監視結果を受け取る。充放電制御部６０１ｂは、スイッチｅ１及びｅ２のオン／オフ制御、並びに、スイッチｆ１及びｆ２のオン／オフ制御を行う。下位グループ電力監視部６０１ｃは、複数あるグループ４００毎の課金情報（ＤＣ電力の売買収支）を一元的に管理する。下位グループコントローラ６０１ｄは、グループ制御部４０１と相互に通信を行う。
【０２０３】
共有蓄電池６０２は、共有電力ライン６０６に接続されており、下位グループ４００の共有蓄電池４０２との間でＤＣ電力の充放電を行う。また、共有蓄電池６０２は、ＡＣ／ＤＣコンバータ６０９ないしＤＣ／ＡＣコンバータ６１０を介して、電力会社６１２との間で買電／売電を行う。すなわち、ルート６００の共有蓄電池６０２は、「下位グループ４００の共有蓄電池４０２からのＤＣ充電」と「電力会社６１２からのＡＣ買電」によって充電される。また、ルート６００の共有蓄電池６０２は、「下位グループ４００の共有蓄電池４０２へのＤＣ放電」と「電力会社６１２へのＡＣ売電」によって放電される。
【０２０４】
電力監視部６０３は、共有蓄電池６０２の充電量を監視する。例えば、電力監視部６０３は、共有蓄電池６０２の充電量がその最大値の９０％以上である場合には、ほぼ満充電状態であると判定し、３０％以上９０％未満である場合には安定状態であると判定し、３０％未満である場合には電力不足状態であると判定する。
【０２０５】
充電制御部６０４は、共有電力ライン６０６ないしＡＣ／ＤＣコンバータ６０９から供給されるＤＣ電力を共有蓄電池６０２の充電に適したレベルに変換する。
【０２０６】
放電制御部６０５は、共有蓄電池６０２から放電されるＤＣ電力を共有電力ライン６０６ないしはＤＣ／ＡＣコンバータ６１０への供給に適したレベルに変換する。
【０２０７】
共有電力ライン６０６は、下位グループ４００の共有蓄電池６０２とルート６００の共有蓄電池６０２との間でＤＣ電力を充放電するための経路である。
【０２０８】
電力監視部６０７は、グループ４００と共有電力ライン６０６との間でやりとりされたＤＣ電力の電力量を所定期間（例えば１ヶ月）毎に積算することで、グループ４００に対する課金情報（ＤＣ電力の売買収支）を取得するための電力メータである。
【０２０９】
放電制御部６０８は、グループ４００の共有蓄電池４０２から放電されるＤＣ電力を共有電力ライン６０６への供給に適したレベルに変換する。
【０２１０】
ＡＣ／ＤＣコンバータ６０９は、電力会社６１２から供給されるＡＣ電力をＤＣ電力に変換して共有蓄電池６０２に出力する。
【０２１１】
ＤＣ／ＡＣコンバータ６１０は、共有蓄電池６０２から放電されるＤＣ電力をＡＣ電力に変換して電力会社６１２に出力する。
【０２１２】
電力監視部６１１は、ルート６００と電力会社６１２との間でやりとりされたＡＣ電力の電力量を所定期間（例えば１ヶ月）毎に積算することで、ルート６００に対する課金情報（ＡＣ電力の売買収支）を取得するための電力メータである。
【０２１３】
電力会社６１２は、ルート６００との間でＡＣ電力の買電／売電を行う。
【０２１４】
スイッチｅ１は、ルート制御部６０１によってオン／オフ制御され、ＡＣ／ＤＣコンバータ６０９から共有蓄電池６０２への充電経路を導通／遮断する。スイッチｅ２は、ルート制御部６０１によってオン／オフ制御され、共有電力ライン６０６から共有蓄電池６０２への充電経路を導通／遮断する。
【０２１５】
スイッチｆ１は、ルート制御部６０１によってオン／オフ制御され、共有蓄電池６０２からＤＣ／ＡＣコンバータ６１０への放電経路を導通／遮断する。スイッチｆ２は、ルート制御部６０１によってオン／オフ制御され、共有蓄電池６０２から共有電力ライン６０６への放電経路を導通／遮断する。
【０２１６】
図２１は、ルート制御部６０１の動作一覧表であり、左から順番に、動作状態毎に付した番号、電力監視部６０３の電力監視結果、下位のグループ制御部４０１から出力される充電要求／放電要求の有無、ルート制御部６０１から出力される充電指示／放電指示の内容、充電用のスイッチｅ１及びｅ２のオン／オフ状態、放電用のスイッチｆ１及びｆ２のオン／オフ状態、及び、電力会社６１２との間における買電／売電状態が示されている。
【０２１７】
第１動作状態は、共有蓄電池６０２がほぼ満充電（９０％以上）であるときに、下位に接続された複数のグループ制御部４０１からいずれも放電要求が出力された状態である。この場合、ルート制御部６０１は、全てのグループ制御部４０１に対して、グループ４００のＤＣ放電を許可（有効）する旨の放電指示（図中では「○」と表記）を出力する。
【０２１８】
なお、第１動作状態では、いずれのグループ制御部４０１も充電要求を出力していないので、ルート制御部６０１は、全てのグループ制御部４０１に対して、グループ４００のＤＣ充電を不許可（無効）とする旨の充電指示（図中では「×」と表記）を出力する。
【０２１９】
このような第１動作状態において、ルート制御部６０１は、スイッチｅ２及びｆ１をオンとし、スイッチｅ１及びｆ２をオフとする。このようなスイッチ制御により、共有蓄電池６０２と共有蓄電池４０２との間では、共有蓄電池４０２から放電されたＤＣ電力によって共有蓄電池６０２が充電される状態となり、また、共有蓄電池６０２と電力会社６１２との間では、共有蓄電池６０２から放電されたＤＣ電力がＡＣ電力に変換されて電力会社に売電される状態となる。
【０２２０】
第２動作状態は、共有蓄電池６０２がほぼ満充電（９０％以上）であるときに、下位に接続された複数のグループ制御部４０１からいずれも充電要求が出力された状態である。この場合、ルート制御部６０１は、全てのグループ制御部４０１に対して、グループ４００のＤＣ充電を許可（有効）する旨の充電指示（図中では「○」と表記）を出力する。
【０２２１】
なお、第２動作状態では、いずれのグループ制御部４０１も放電要求を出力していないので、ルート制御部６０１は、全てのグループ制御部４０１に対して、グループ４００のＤＣ放電を不許可（無効）とする旨の放電指示（図中では「×」と表記）を出力する。
【０２２２】
このような第２動作状態において、ルート制御部６０１は、スイッチｅ１、ｅ２、及びｆ１をいずれもオフとし、スイッチｆ２をオンとする。このようなスイッチ制御により、共有蓄電池６０２から放電されたＤＣ電力により共有蓄電池４０２が充電される。なお、電力会社６１２との買電／売電は停止された状態となる。
【０２２３】
第３動作状態は、共有蓄電池６０２がほぼ満充電（９０％以上）であるときに、下位に接続された複数のグループ制御部４０１の一部から放電要求が出力され、別の一部から充電要求が出力された状態である。この場合、ルート制御部６０１は、放電要求を出力したグループ制御部４０１に対して、グループ４００のＤＣ放電を許可（有効）する旨の放電指示（図中では「○」と表記）を出力し、充電要求を出力したグループ制御部４０１に対して、グループ４００のＤＣ充電を許可（有効）する旨の充電指示（図中では「○」と表記）を出力する。
【０２２４】
このような第３動作状態において、ルート制御部６０１は、スイッチｅ１をオフとし、スイッチｃ２、ｄ１、及びｄ２をいずれもオンとする。このようなスイッチ制御により、共有蓄電池６０２と電力余剰状態の共有蓄電池４０２との間では、共有蓄電池４０２から放電されたＤＣ電力によって共有蓄電池６０２が充電される状態となり、また、共有蓄電池６０２と電力不足状態の共有蓄電池４０２との間では、共有蓄電池６０２から放電されたＤＣ電力によって共有蓄電池４０２が充電される状態となる。さらに、共有蓄電池６０２と電力会社６１２との間では、共有蓄電池６０２から放電されたＤＣ電力がＡＣ電力に変換されて電力会社６１２に売電される状態となる。
【０２２５】
第４動作状態は、共有蓄電池６０２の充電量が安定状態（３０％以上９０％未満）であるときに、下位に接続された複数のグループ制御部４０１からいずれも放電要求が出力された状態である。この場合、ルート制御部６０１は、全てのグループ制御部４０１に対してグループ４００のＤＣ放電を許可（有効）する旨の放電指示（図中では「○」と表記）を出力する。
【０２２６】
なお、第４動作状態では、いずれのグループ制御部４０１も充電要求を出力していないので、ルート制御部６０１は、全てのグループ制御部４０１に対して、グループ４００のＤＣ充電を不許可（無効）とする旨の充電指示（図中では「×」と表記）を出力する。
【０２２７】
このような第４動作状態において、ルート制御部６０１は、スイッチｅ２をオンとし、スイッチｅ１、ｆ１、及びｆ２をいずれもオフとする。このようなスイッチ制御により、共有蓄電池６０２と共有蓄電池４０２との間では、共有蓄電池４０２から放電されたＤＣ電力によって共有蓄電池６０２が充電される状態となる。なお、電力会社６１２との買電／売電は停止された状態となる。
【０２２８】
第５動作状態は、共有蓄電池６０２の充電量が安定状態（３０％以上９０％未満）であるときに、下位に接続された複数のグループ制御部４０１からいずれも充電要求が出力された状態である。この場合、ルート制御部６０１は、全てのグループ制御部４０１に対してグループ４００のＤＣ充電を許可（有効）する旨の充電指示（図中では「○」と表記）を出力する。
【０２２９】
なお、第５動作状態では、いずれのグループ制御部４０１も放電要求を出力していないので、ルート制御部６０１は、全てのグループ制御部４０１に対して、グループ４００のＤＣ放電を不許可（無効）とする旨の放電指示（図中では「×」と表記）を出力する。
【０２３０】
このような第５動作状態において、ルート制御部６０１は、スイッチｅ１、ｅ２、及びｆ１をいずれもオフとし、スイッチｆ２をオンとする。このようなスイッチ制御により、共有蓄電池６０２から放電されたＤＣ電力により共有蓄電池４０２が充電される。なお、電力会社６１２との買電／売電は停止された状態となる。
【０２３１】
第６動作状態は、共有蓄電池６０２の充電量が安定状態（３０％以上９０％未満）であるときに、下位接続された複数のグループ制御部４０１の一部から放電要求が出力され、別の一部から充電要求が出力された状態である。この場合、ルート制御部６０１は、放電要求を出力したグループ制御部４０１に対してグループ４００のＤＣ放電を許可（無効）する旨の放電指示（図中では「○」と表記）を出力し、充電要求を出力したグループ制御部４０１に対してグループ４００のＤＣ充電を許可（有効）する旨の充電指示（図中では「○」と表記）を出力する。
【０２３２】
このような第６動作状態において、ルート制御部６０１は、スイッチｅ１及びｆ１をいずれもオフとし、スイッチｅ２及びｆ２をいずれもオンとする。このようなスイッチ制御により、共有蓄電池６０２と電力余剰状態の共有蓄電池４０２との間では、共有蓄電池４０２から放電されたＤＣ電力によって共有蓄電池６０２が充電される状態となり、また、共有蓄電池６０２と電力不足状態の共有蓄電池６０２との間では、共有蓄電池６０２から放電されたＤＣ電力によって共有蓄電池４０２が充電される状態となる。なお、電力会社６１２との買電／売電は停止された状態となる。
【０２３３】
第７動作状態は、共有蓄電池６０２が電力不足状態（３０％未満）であるときに、下位接続された複数のグループ制御部４０１からいずれも放電要求が出力された状態である。この場合、ルート制御部６０１は、全てのグループ制御部４０１に対して、グループ４００のＤＣ放電を許可（有効）する旨の放電指示（図中では「○」と表記）を出力する。
【０２３４】
なお、第７動作状態では、いずれのグループ制御部４０１も充電要求を出力していないので、ルート制御部６０１は、全てのグループ制御部４０１に対して、グループ４００のＤＣ充電を不許可（無効）とする旨の充電指示（図中では「×」と表記）を出力する。
【０２３５】
このような第７動作状態において、ルート制御部６０１は、スイッチｅ１、ｆ１、及びｆ２をいずれもオフとし、スイッチｅ２をオンとする。このようなスイッチ制御により、共有蓄電池４０２から放電されたＤＣ電力により共有蓄電池６０２が充電される。なお、電力会社６１２との買電／売電は停止された状態となる。
【０２３６】
第８動作状態は、共有蓄電池６０２が電力不足状態（３０％未満）であるときに、下位接続された複数のグループ制御部４０１からいずれも充電要求が出力された状態である。この場合、ルート制御部６０１は、全てのグループ制御部４０１に対してグループ４００のＤＣ充電を不許可（無効）とする旨の充電指示（図中では「×」と表記）を出力する。
【０２３７】
なお、第８動作状態では、いずれのグループ制御部４０１も放電要求を出力していないので、ルート制御部６０１は、全てのグループ制御部４０１に対して、グループ４００のＤＣ放電を不許可（無効）とする旨の放電指示（図中では「×」と表記）を出力する。
【０２３８】
このような第８動作状態において、ルート制御部６０１は、スイッチｅ１をオンとし、スイッｅ２、ｆ１、及び、ｆ２をいずれもオフとする。このようなスイッチ制御により、共有蓄電池６０２と電力会社６１２との間では、電力会社６１２から買電されたＡＣ電力がＤＣ電力に変換され、このＤＣ電力により共有蓄電池６０２が充電される状態となる。なお、共有蓄電池４０２との充放電は停止された状態となる。
【０２３９】
第９動作状態は、共有蓄電池６０２が電力不足状態（３０％未満）であるときに、下位に接続された複数のグループ制御部４０１の一部から放電要求が出力され、別の一部から充電要求が出力された状態である。この場合、ルート制御部６０１は、放電要求を出力したグループ制御部４０１に対して、グループ４００のＤＣ放電を許可（有効）する旨の放電指示（図中では「○」と表記）を出力し、充電要求を出力したグループ制御部４０１に対して、グループ４００のＤＣ充電を不許可（無効）する旨の充電指示（図中では「×」と表記）を出力する。
【０２４０】
このような第９動作状態において、ルート制御部６０１は、スイッチｅ１及びえ２をいずれもオンとし、スイッチｄ１及びｄ２をいずれもオフとする。このようなスイッチ制御により、共有蓄電池６０２と電力余剰状態の共有蓄電池４０２との間では、共有蓄電池４０２から放電されたＤＣ電力によって共有蓄電池６０２が充電される状態となり、また、共有蓄電池６０２と電力不足状態の共有蓄電池４０２との間では、共有蓄電池４０２のＤＣ充電が停止された状態となる。また、共有蓄電池６０２と電力会社６１２との間では、電力会社６１２から買電されたＡＣ電力がＤＣ電力に変換され、このＤＣ電力により共有蓄電池６０２が充電される状態となる。
【０２４１】
図２２は、ルート制御部６０１の動作フローチャートである。
【０２４２】
ステップＳ５０１において、共有蓄電池６０２の充電量がその最大値の９０％以上であるか否かの判定が行われる。ここで、共有蓄電池６０２の充電量がその最大値の９０％以上であると判定された場合には、共有蓄電池６０２がほぼ満充電であるとして、フローがステップＳ５０２に進められる。一方、共有蓄電池６０２の充電量がその最大値の９０％以上ではないと判定された場合には、共有蓄電池６０２の充電が可能であるとして、フローがステップＳ５０８に進められる。
【０２４３】
ステップＳ５０１において、共有蓄電池６０２の充電量がその最大値の９０％以上であると判定された場合、ステップＳ５０２では、グループ制御部４０１からグループ４００の余剰電力をルート６００に放電したい旨の放電要求があるか否かの確認が行われる。ここで、グループ制御部４０１から放電要求があると判定された場合には、フローがステップＳ５０３に進められる。一方、グループ制御部４０１から放電要求がないと判定された場合には、フローがステップ５０６に進められる。
【０２４４】
ステップＳ５０２において、グループ制御部４０１から放電要求があると判定された場合、ステップＳ５０３では、共有蓄電池６０２から電力会社６１２へのＡＣ売電が行われるとともに、グループ制御部４０１に応答する放電指示の内容として、グループ４００のＤＣ放電を許可する旨のフラグが出力される。この状態は、先述の第１動作状態、または第３動作状態に相当する。
【０２４５】
一方、ステップＳ５０２において、グループ制御部４０１から放電要求がないと判定された場合、ステップＳ５０６では、共有蓄電池６０２から電力会社６１２へのＡＣ売電が停止されるとともに、グループ制御部４０１に応答する放電指示の内容として、グループ４００のＤＣ放電を許可する旨のフラグが停止される。言い換えれば、グループ制御部４０１に応答する放電指示の内容として、グループ４００のＤＣ放電を不許可とする旨のフラグが出力される。この状態は、先述の第２動作状態に相当する。
【０２４６】
また、ステップＳ５０１において、共有蓄電池６０２の充電量がその最大値の９０％以上でないと判定された場合、ステップＳ５０８では、共有蓄電池６０２の充電量がその最大値の３０％以上であるか否かの判定が行われる。ここで、共有蓄電池６０２の充電量がその最大値の３０％以上であると判定された場合には、共有蓄電池６０２の充電量が安定状態であるとして、フローがステップＳ５０９に進められる。一方、共有蓄電池６０２の充電量がその最大値の３０％以上でないと判定された場合には、共有蓄電池６０２が電力不足状態であるとして、フローがステップＳ５１２に進められる。
【０２４７】
ステップＳ５０８において、共有蓄電池６０２の充電量がその最大値の３０％以上であると判定された場合、ステップＳ５０９では、グループ制御部４０１からグループ４００の余剰電力をルート６００に放電したい旨の放電要求があるか否かの確認が行われる。ここで、グループ制御部４０１から放電要求があると判定された場合には、フローがステップＳ５１０に進められる。一方、グループ制御部４０１から放電要求がないと判定された場合には、フローがステップ５１１に進められる。
【０２４８】
ステップＳ５０９において、グループ制御部４０１から放電要求があると判定された場合、ステップＳ５１０では、グループ制御部４０１に応答する放電指示の内容として、グループ４００のＤＣ放電を許可する旨のフラグが出力される。この状態は、先述の第４動作状態、または、第６動作状態に相当する。
【０２４９】
一方、ステップＳ５０９において、グループ制御部４０１から放電要求がないと判定された場合、ステップＳ５１１では、グループ制御部４０１に応答する放電指示の内容として、グループ４００のＤＣ放電を許可する旨のフラグが停止される。言い換えれば、グループ制御部４０１に応答する放電指示の内容として、グループ４００のＤＣ放電を不許可とする旨のフラグが出力される。この状態は、先述の第５動作状態に相当する。
【０２５０】
ステップＳ５０３、Ｓ５０６、Ｓ５１０、及び、Ｓ５１１のいずれかを経た後、ステップＳ５０４では、グループ制御部４０１からグループ４００の不足電力をルート６００からの充電によって補填したい旨の充電要求があるか否かの確認が行われる。ここで、グループ制御部４０１から充電要求があると判定された場合には、フローがステップＳ５０５に進められる。一方、グループ制御部４０１から充電要求がないと判定された場合には、フローがステップ５０７に進められる。
【０２５１】
ステップＳ５０４において、グループ制御部４０１から充電要求があると判定された場合、ステップＳ５０５では、グループ制御部４０１に応答する充電指示の内容として、グループ４００のＤＣ充電を許可する旨のフラグが出力される。この状態は、先述の第２動作状態、第３動作状態、第５動作状態、または、第６動作状態に相当する。その後、フローはステップＳ５０１に戻される。
【０２５２】
一方、ステップＳ５０４において、グループ制御部４０１から充電要求がないと判定された場合、ステップＳ５０７では、グループ制御部４０１に応答する充電指示の内容として、グループ４００のＤＣ充電を許可する旨のフラグが停止される。言い換えれば、グループ制御部４０１に応答する充電指示の内容として、グループ４００のＤＣ充電を不許可とする旨のフラグが出力される。この状態は、先述の第１動作状態、または、第４動作状態に相当する。その後、フローはステップＳ５０１に戻される。
【０２５３】
また、ステップＳ５０８において、共有蓄電池６０２の充電量がその最大値の３０％以上でないと判定された場合、ステップＳ５１２では、グループ制御部４０１からグループ４００の余剰電力をルート６００に放電したい旨の放電要求があるか否かの確認が行われる。ここで、グループ制御部４０１から放電要求があると判定された場合には、フローがステップＳ５１３に進められる。一方、グループ制御部４０１から放電要求がないと判定された場合には、フローがステップＳ５１５に進められる。
【０２５４】
ステップＳ５１２において、グループ制御部４０１から放電要求があると判定された場合、ステップＳ５１３では、グループ制御部４０１に応答する放電指示の内容として、グループ４００のＤＣ放電を許可する旨のフラグが出力される。この状態は、先述の第７動作状態、または、第９動作状態に相当する。
【０２５５】
一方、ステップＳ５１２において、グループ制御部４０１から放電要求がないと判定された場合、ステップＳ５１５では、グループ制御部４０１に応答する放電指示の内容として、グループ４００のＤＣ放電を許可する旨のフラグが停止される。言い換えれば、グループ制御部４０１に応答する放電指示の内容として、グループ４００のＤＣ放電を不許可とする旨のフラグが出力される。この状態は、先述の第８動作状態に相当する。
【０２５６】
ステップＳ５１３、及び、Ｓ５１５のいずれかを経た後、ステップＳ５１４では、グループ制御部４０１からグループ４００の不足電力をルート６００からの充電によって補填したい旨の充電要求があるか否かに依ることなく、グループ制御部４０１に応答する充電指示の内容として、グループ４００のＤＣ充電を許可する旨のフラグが停止される。言い換えれば、グループ制御部４０１に応答する充電指示の内容として、グループ４００のＤＣ充電を不許可とする旨のフラグが出力される。この状態は、先述の第７動作状態、第８動作状態、または、第９動作状態に相当する。その後、フローはステップＳ５０１に戻される。
【０２５７】
図２３は、上記で説明したＤＣ電力ネットワーク網の概念図である。なお、本図では、個人宅がユニットとして例示されており、また、その所属グループの一例としては、集合住宅のフロア、集合住宅の棟、集合住宅全体（または会社）、市町村、及び、都道府県が挙げられている。そして、最終的なルートとしては、州や国が例示されている。
【０２５８】
本図に示したように、ＤＣ電力ネットワーク網を形成するグループの階層を増やしていくことで、小さなグループからワールドワイドにＤＣ電力のネットワークを拡張していくことが可能である。特に、大きなＤＣ電力ネットワーク網を敷設することにより、一の地方の天候が不良であっても、別の地方の天候が良好であれば、ＤＣ電力ネットワーク網全体としての蓄電量は維持されるので、発電電力が天候に左右されやすいという太陽光発電システムの問題点を解消することが可能となる。
【０２５９】
図２４は、ＤＣ電力ネットワーク網とＡＣ電力ネットワーク網との相互接続図である。本図に示すように、ＤＣ電力ネットワーク網を拡張していく途中の段階では、既存インフラであるＡＣ電力ネットワーク網との相互接続を行うことにより、遠く離れたＤＣ電力ネットワーク網どうしの電力共有を実現することも可能である。
【０２６０】
上記のように、第２実施例によっても、第１電力源と、前記第１電力源の出力が入力される第１充電池と、前記第１充電池の出力が入力される第１電力消費部と、を備えた第１ユニットと；第２充電池と；前記第１充電池と前記第２充電池との間で電力を共有するための電力ラインと；を有する電力システムが提供される。そして、第２実施例の場合、第１電力源（および第２電力源）は、太陽光パネルである。
【０２６１】
ここで、第２実施例は、太陽光発電による自給自足とＡＣ−ＤＣ間の変換ロスを避けたＤＣ直接配電を第一義とする考え方に立っている。そのため、第２実施例では、太陽光発電電力に自己消費や融通をまず優先し、余剰があれば売電も行うという考え方が採用されている。
【０２６２】
また、本発明の構成は、上記実施形態のほか、発明の主旨を逸脱しない範囲で種々の変更を加えることが可能である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【０２６３】
例えば、上記の第２実施例に関して、図１１では、電力会社３１７からユニット蓄電池３０２への充電経路を備えていない構成を例示して説明を行ったが、本発明の構成はこれに限定されるものではなく、図２５に示す通り、電力会社３１７からユニット蓄電池３０２への充電経路を備えた構成としても構わない。この場合、ユニット蓄電池３０２は、「パワーコンディショナー（不図示）からのＤＣ給電」と「共有蓄電池３１５からのＤＣ買電」のほか、「電力会社３１７からのＡＣ買電」によっても充電される。なお、ユニット蓄電池３０２に蓄えられたＤＣ電力の共有に際しては、電力会社３１７からの買電によって蓄えられたＤＣ電力を共有対象から除くようにしてもよいし、逆に、共有対象に含めるようにしてもよい。
【産業上の利用可能性】
【０２６４】
本発明は、例えば、蓄電機能を備えた住宅用電力供給システムを提供するものである。
【符号の説明】
【０２６５】
８    太陽光発電部
２４、２６    電力入出力部
３６、５０    供給制限部
２８    制御部
３２    蓄電池
４２、４８    電力消費部
５２    外部の蓄電池
５４    供給部
４６    分電盤
１００    集合住宅
１０１    居室
１０２    太陽光パネル
１０３    パワーコンディショナー
１０４    分電盤
１０５    電力会社（商用交流電源）
１０６、１０７、１０８    ＡＣプラグ
１０９    照明器具
１１０    パソコン
１１１    薄型テレビ
２０１    ユニット
２０１ａ    ユニット制御部
２０１ｂ    太陽光パネル
２０１ｃ    ユニット蓄電池
２０２    共有蓄電池
２０３    共有電力ライン（第１クラス）
２０４    グループ制御部（第１クラス）
２０５    グループ（第１クラス）
２０６    共有蓄電池（第１クラス）
２０７    共有電力ライン（第２クラス）
２０８    グループ制御部（第２クラス）
２０９    グループ（第２クラス）
２１０    共有蓄電池（第２クラス）
２１１    共有電力ライン（第３クラス）
２１２    グループ制御部（第３クラス）
２１３    グループ（第３クラス）
２１４    グループ（第Ｎクラス）
２１５    共有蓄電池（第Ｎクラス）
２１６    共有電力ライン（ルートクラス）
２１７    ルート制御部
２１８    ＡＣ／ＤＣコンバータ
２１９    ＤＣ／ＡＣコンバータ
２２０    ルート
２２１    電力会社（商用交流電源）
３００    ユニット
３０１    ユニット制御部
３０２    ユニット蓄電池
３０３    電力監視部
３０４    充電制御部
３０５    ＡＣ／ＤＣコンバータ
３０６    ＤＣ／ＡＣコンバータ
３０７    ＡＣプラグ
３０８、３０９、３１０    ＤＣプラグ
３１１    照明器具
３１２    パソコン
３１３    薄型テレビ
３１４    グループ制御部
３１５    共有蓄電池
３１６    共有電力ライン
３１７    電力会社（商用交流電源）
３１８    電力監視部
ａ１、ａ２、ｂ１〜ｂ５    スイッチ
４００    グループ
４０１    グループ制御部
４０１ａ    上位グループインターフェイス部
４０１ｂ    充放電制御部
４０１ｃ    下位ユニット／グループ電力監視部
４０１ｄ    下位ユニット／グループコントローラ
４０２    共有蓄電池
４０３    電力監視部
４０４    充電制御部
４０５    放電制御部
４０６    共有電力ライン
４０７    電力監視部
４０８    放電制御部
４０９    グループ制御部
４１０    共有蓄電池
４１１    放電制御部
４１２    共有電力ライン
ｃ１、ｃ２、ｄ１、ｄ２    スイッチ
５００    共有電力ライン
５０１、５０２    共有蓄電池
５０３、５０４    電力監視部
５０５、５０６    充電制御部
５０５ａ、５０６ａ    昇降圧ＤＣ／ＤＣコンバータ
５０５ｂ、５０６ｂ    定電流ドライバ
５０７、５０８    放電制御部
５０７ａ、５０８ａ    昇降圧ＤＣ／ＤＣコンバータ
５０７ｂ、５０８ｂ    抵抗
５０７ｃ、５０８ｃ    ダイオード
５０９〜５１２    スイッチ
６００    ルート
６０１    ルート制御部
６０１ａ    電力会社インターフェイス部
６０１ｂ    充放電制御部
６０１ｃ    下位グループ電力監視部
６０１ｄ    下位グループコントローラ
６０２    共有蓄電池
６０３    電力監視部
６０４    充電制御部
６０５    放電制御部
６０６    共有電力ライン
６０７    電力監視部
６０８    放電制御部
６０９    ＡＣ／ＤＣコンバータ
６１０    ＤＣ／ＡＣコンバータ
６１１    電力監視部
６１２    電力会社（商用交流電源）
ｅ１、ｅ２、ｆ１、ｆ２    スイッチ
【図１】
0005604223.tif 000002
【図２】
0005604223.tif 000003
【図３】
0005604223.tif 000004
【図４】
0005604223.tif 000005
【図５】
0005604223.tif 000006
【図６】
0005604223.tif 000007
【図７】
0005604223.tif 000008
【図８】
0005604223.tif 000009
【図９】
0005604223.tif 000010
【図１０】
0005604223.tif 000011
【図１１】
0005604223.tif 000012
【図１２】
0005604223.tif 000013
【図１３】
0005604223.tif 000014
【図１４】
0005604223.tif 000015
【図１５】
0005604223.tif 000016
【図１６】
0005604223.tif 000017
【図１７】
0005604223.tif 000018
【図１８】
0005604223.tif 000019
【図１９】
0005604223.tif 000020
【図２０】
0005604223.tif 000021
【図２１】
0005604223.tif 000022
【図２２】
0005604223.tif 000023
【図２３】
0005604223.tif 000024
【図２４】
0005604223.tif 000025
【図２５】
0005604223.tif 000026